(57)【要約】  本発明は、輸送される品物を積むための内部空間を伴う槽形状を有する基体と、基体にヒンジで連結される開閉可能な蓋と、を備える貨物運搬具に関係する。貨物運搬具は、基体および蓋の少なくとも一方に取り付けられる追加部分をさらに備え、追加部分は、貨物運搬具の外部体積全体を拡大する。本発明は、このような貨物運搬具を製造するための方法にさらに関係する。
2021514901.tif 000002
【特許請求の範囲】
【請求項１】
具体的には屋根上の貨物運搬具である貨物運搬具（２）であって、
輸送される品物を積むための内部空間（１１）を伴う槽形状を有する基体（１０）と、
前記基体（１０）にヒンジで連結される開閉可能な蓋（２０）と、
前記貨物運搬具（２）の外部体積全体を拡大するために、前記基体（１０）および前記蓋（２０）の少なくとも一方に取り付けられる追加部分（４）と、
を備える貨物運搬具（２）。
【請求項２】
前記追加部分（４）は、前記基体（１０）と前記蓋（２０）との両方を包み込む凸状外被（６）の外側に少なくとも部分的に延びる、請求項１に記載の貨物運搬具（２）。
【請求項３】
前記内部空間（１１）は、前記基体（１０）の周縁部分（１２）によって定められる上開口を通じてアクセス可能であり、
開閉可能な前記蓋（２０）は、閉状態において、前記蓋（２０）の縁部分（２２）が前記周縁部分（１２）に接する状態で位置決めされるように適合され、
前記追加部分（４）は、前記基体（１０）または前記蓋（２０）に取り付けられ、および前記蓋（２０）が前記閉状態にあるとき、前記蓋（２０）の前記縁部分（２２）、好ましくは前記蓋（２０）の前記縁部分（２２）の外面（２３）と、前記基体（１０）の前記周縁部分（１２）と、の間に移行部を設けるように形成される架橋部分（３０）を備える、請求項１または２に記載の貨物運搬具（２）。
【請求項４】
前記架橋部分（３０）は、前記蓋（２０）が前記閉状態にあるとき、前記架橋部分（３０）の外面（３１）と前記蓋（２０）の外面（２３）との間、および／または前記架橋部分（３０）の外面（３１）と、前記基体（１０）の外面（１４）、好ましくは前記基体（１０）の下方外面（１５）と、の間に、実質的に同一面内の移行部を提供する、請求項３に記載の貨物運搬具（２）。
【請求項５】
前記周縁部分（１２）はＵ字形を備え、前記周縁部分（１２）において、前記基体（１０）の側壁（１６）の壁部分（１７）は外側に湾曲されて自身へと重なっており、これにより前記側壁（１６）の縁部分（１８）が下向きに突出し、隙間（１９）が下向きに突出した前記縁部分（１８）と前記基体（１０）の前記側壁（１６）の一部分との間に形成される、請求項３または４に記載の貨物運搬具（２）。
【請求項６】
前記架橋部分（３０）の上縁部分（３２）は前記隙間（１９）に収容され、好ましくは前記隙間（１９）を定める壁部分に当てて支持される、請求項５に記載の貨物運搬具（２）。
【請求項７】
前記架橋部分（３０）の前記上縁部分（３２）は、好ましくは第１の支持区域（３３）が前記側壁（１６）の前記縁部分（１８）の下端部分に接し、かつ第２の支持区域（３４）が前記基体（１０）の前記側壁（１６）の反対の上部分に接する状態で、前記隙間（１９）を定める前記壁部分に対向して当てて支持される２つの支持区域を備える、請求項６に記載の貨物運搬具（２）。
【請求項８】
前記架橋部分（３０）の前記上縁部分（３２）は、ジグザグの形を好ましくは備える２つの曲線とされる、請求項６または７に記載の貨物運搬具（２）。
【請求項９】
前記架橋部分（３０）の前記上縁部分（３２）は、好ましくは接着によって前記隙間（１９）を定める前記壁部分に接合される、請求項６から８のいずれか一項に記載の貨物運搬具（２）。
【請求項１０】
前記架橋部分（３０）は前記基体（１０）を包囲するフレーム（４０）を備え、前記フレーム（４０）は、ハンドル（４２）および／もしくは係止部（４４）のための少なくとも１つの孔を好ましくは備える、ならびに／または
前記フレーム（４０）は、内側基体シェルを形成する前記基体（１０）と、前記貨物運搬具（２）の外側基体シェルを形成する前記フレーム（４０）と、を備える二重シェル構造を作り出すために、好ましくは前記基体（１０）の周りに延びる、請求項３から９のいずれか一項に記載の貨物運搬具（２）。
【請求項１１】
前記追加部分（４）は、前記蓋（２０）に、好ましくは前記蓋（２０）の後部分に、または前記基体（１０）に、好ましくは前記基体（１０）の前部分に、取り付けられるスポイラ部分（５０）を備える、請求項１から１０のいずれか一項に記載の貨物運搬具（２）。
【請求項１２】
前記スポイラ部分（５０）は、前記スポイラ部分（５０）の外面と前記架橋部分（３０）の外面（３１）との間に実質的に同一面内である移行部を提供する、請求項３から１０のいずれか一項に従属した請求項１１に記載の貨物運搬具（２）。
【請求項１３】
前記スポイラ部分（５０）は、前記貨物運搬具（２）を取り扱うために、好ましくは前記スポイラ部分（５０）の後縁部分を越えて突出しない把持部分（５２）を備える、請求項１１または１２に記載の貨物運搬具（２）。
【請求項１４】
前記貨物運搬具（２）を車両に固定するための固定部材（６０）をさらに備え、
前記固定部材（６０）は、前記基体（１０）、前記蓋（２０）、および前記追加部分（４）を包み込む凸状外被（７）の中に配置され、
前記基体（１０）および／または前記追加部分（４）は、前記貨物運搬具（２）を実質的に水平の基盤上に支持するための少なくとも２つの基盤接触区域（６２）を好ましくは備える、請求項１から１３のいずれか一項に記載の貨物運搬具（２）。
【請求項１５】
具体的には屋根上の貨物運搬具である貨物運搬具(2)を製造するための方法であって、
輸送される品物を積むための内部空間(11)を伴う槽形状を有する基体(10)を形成するステップ、好ましくは成型するステップと、
前記基体(10)を覆うための形状を有する蓋(20)を形成するステップ、好ましくは成型するステップと、
前記蓋(20)が開閉可能となるように、前記蓋(20)を前記基体(10)とヒンジで連結するステップと、
追加部分(4)を前記基体(10)および前記蓋(20)の少なくとも一方に取り付け、それによって前記貨物運搬具(2)の外部体積全体を拡大するステップと、
を含む方法。
【発明の詳細な説明】
【技術分野】
【０００１】
本発明は、輸送される品物を積むための内部空間を伴う槽形状を有する基体と、基体にヒンジで連結される開閉可能な蓋と、を備える貨物運搬具に関する。本発明は、このような貨物運搬具を製造するための方法にさらに関する。
【背景技術】
【０００２】
現代の娯楽活動は嵩張る器具の使用を伴う。そのため、車両の屋根上に嵩張るスポーツ器具などの品物を輸送するための貨物運搬具は、人気が高まっている。さらに、移動性の拡大のため、娯楽活動はより頻繁に行われ、貨物運搬具はより大きな頻度でより長い距離にわたって使用されることになる。
【０００３】
しかしながら、屋根上の貨物運搬具を伴う車両を運転することは、このような運搬具のない車両を運転することと比較してより大きなエネルギ消費をもたらす。より大きなエネルギ消費はより大きな環境汚染をさらにもたらし、これは抑えられるべきである。それと関連して、屋根上の貨物運搬具を伴う車両を運転することは、特に車両を道路において高速で運転するとき、運転特性にも影響を与える。
【発明の概要】
【発明が解決しようとする課題】
【０００４】
車両に搭載されるとき、特にエネルギ消費に関して、運転効率への悪影響がより少ない改良された貨物運搬具を製造および提供することが、本発明の目的である。
【課題を解決するための手段】
【０００５】
目的は、請求項１による貨物運搬具による本発明の態様において、および、独立請求項１５による貨物運搬具を製造するための方法による本発明のさらなる態様において、解決される。
【０００６】
本発明の有利なさらなる実施形態は、これらの実施形態の特定のさらなる改良が、以下のまとめから、実施形態の詳細な記載から、および図面自体から収集され得る従属請求項の主題である。
【０００７】
本発明による貨物運搬具は車両に搭載可能であり得る。好ましくは、貨物運搬具は車両の屋根に搭載可能とすることができ、貨物運搬具は屋根上の貨物運搬具として構成される。
【０００８】
本発明によれば、追加部分が、貨物運搬具の外部体積全体を拡大するために、基体および蓋の少なくとも一方に取り付けられる。貨物運搬具の外部体積全体は、貨物運搬具によって占められる空間に対応する。したがって、貨物運搬具は、基体および蓋の少なくとも一方に搭載され得る体積のある追加部分を備える。別の言い方をすれば、追加部分は基体および蓋の少なくとも一方の外面に追加されてもよく、その場合、追加部分は基体および／または蓋の外面から外向きに延びる。
【０００９】
したがって、追加部分は、貨物運搬具の体積全体の体積における拡張を提供する。そのため、追加部分を含む貨物運搬具の外部体積全体が、追加部分を含まない貨物運搬具の体積全体と比較して大きい。そのため、追加部分を含む貨物運搬具の他の寸法または外側の大きさは、追加部分のない基体および蓋の外側の寸法または外側の大きさと比較して大きくなり得る。
【００１０】
貨物運搬具の外部体積全体の拡大に関して、追加部分は、基体の内部空間と重ならない基体の外側の外部空間を提供することができる。そのため、外部体積全体は、内部体積を有する内部空間と、追加の体積を有する外部空間と、を含み得る。したがって、貨物運搬具の外部体積全体を拡大することは、基体の内部空間を変えず、外部空間および追加の体積が貨物運搬具の基体および／または蓋に外部で追加される。貨物運搬具の体積全体の拡大は、追加の積込空間を追加部分において品物のために提供することもできる。
【００１１】
追加部分は基体または蓋に取り付けることもでき、その場合、追加部分は少なくとも１つの追加部を備える。その他に、追加部分は基体と蓋との両方に取り付けることもでき、その場合、追加部分は少なくとも２つの別々の追加部を備え、それらの追加部のうちの少なくとも一方が基体に取り付けられ、それらの追加部のうちの少なくとも別のものが蓋に取り付けられる。少なくとも２つの追加部は、蓋を開けるかまたは閉じるために、互いに対して枢動可能な様態で貨物運搬具に配置され得る。
【００１２】
追加部分は貨物運搬具により複雑な設計を持たせることができる。したがって、貨物運搬具の外部の形は、様々な外面の形に従って設計できる。追加部分は、蓋または基体により剛性を持たせる安定化の効果を有し得る。貨物運搬具の追加部分は空気力学的な効果をさらに有してもよい。空気力学的な効果は、貨物運搬具の空気力学的に設計された外形によって達成でき、特に追加部分によって提供できる。空気力学的な効果の代替または追加で、追加部分の蓋および/または基体との同一面内での交わりは追加部分によって提供され得る。
【００１３】
追加部分は、貨物運搬具に追加される空気変位体を備え得る。このような空気変位体は、剛性の物体、中空の物体、または、充填材料で満たされた物体によって提供され得る。したがって、貨物運搬具の空気力学性を高め、それに基づくより大きな運転効果を提供することは、このような空気変位体が貨物運搬具に追加されることで提供され得る。
【００１４】
空気力学性を高めることができる追加部分の空気力学的な効果は、貨物運搬具の流線形にされた表面によって引き起こすことができ、これは、貨物運搬具の空気抵抗を小さくし、貨物運搬具の外面において生じる空気の乱流を小さくすることができる。より小さい空気の乱流は貨物運搬具の後部の近くで特に生じ得る。より小さい空気抵抗およびより小さい空気の乱流は貨物運搬具のより小さい抗力をもたらすこともでき、これは車両のより少ない燃料消費をさらにもたらすことができる。空気力学的な効果は、代替または追加で、貨物運搬具のスポイラ表面によってもたらすこともでき、これは、より層状の空気流のおかげで、車両の燃料消費をより少なくするより小さい空気の乱流を発生させ得る。空気力学的な効果は、貨物運搬具が運動中であるときに特に生じる。
【００１５】
したがって、有益で好ましい発想は、貨物運搬具全体の空気力学性が肯定的に影響され得るように、少なくとも１つの体積のある追加部を追加の追加要素として追加することで、貨物運搬具のヒンジで連結された基体−蓋のシステムの外面を再成形する点において見られる。少なくとも１つの追加部による再成形は、基体−蓋のシステムの外面の流線形にされた再成形を含むことができ、代替または追加で、前または後のスポイラを備え、貨物運搬具の周りの空気の流れを変えるために基体−蓋のシステムの外面を再成形することができる。前または後のスポイラは両方とも、貨物運搬具の全体の安定性に寄与する基体または蓋の剛性を増加させることもできる部材である。そのため、貨物運搬具は、車両に搭載されるとき、車両の能動的な空気力学的な構成要素として設計および利用できる。「能動的な空気力学的な」は、空気力学性、運転効率、および／または運転特性に肯定的な影響を有するとして理解され得る。
【００１６】
追加部分は、基体と蓋との両方を包み込む凸状外被に従ってまたは従わずに、蓋と基体との間に実質的に真っ直ぐまたは湾曲した移行部を備えてもよい。移行部は、移行部が間に設けられるそれらの要素の間に位置付けられる、追加部分の外面の少なくとも一部を備えてもよい。移行部が、移行部が間に設けられるそれらの要素の間に位置付けられる隙間を備えてもよい。隙間が、追加部分と、移行部が間に提供されるそれらの要素の一方と、の間に位置付けられてもよい。要素同士の間の移行部は実質的に継ぎ目のない移行部として構成されてもよく、その場合、実質的な隙間は存在できない。
【００１７】
好ましい実施形態によれば、追加部分は、基体と蓋との両方を包み込む凸状外被の外側で少なくとも一部延びる。凸状外被は、基体および蓋の外側の包み込む表面を備え得る。別の言い方をすれば、凸状外被は基体および蓋の外側形状にわたって広げられてもよく、その場合、基体および蓋の外側の縁および角は互いと直線的に接続され、そのため凹状の表面領域が包み込む表面において存在しない。したがって、基体および蓋の凸状外被は、凸状の包み込む表面を形成する平面パッチを備え得る。追加部分によって提供されるこのような凸状外被の少なくとも一部の外側での延在は、貨物運搬具の異なる基体−蓋のシステムの異なる設計の配置についての幅広い範囲の空気力学的な設計を提供および製造する肯定的な効果を有し得る。したがって、貨物運搬具の製造は空気力学的な配置の効率的な最適化を可能にする。
【００１８】
さらなる好ましい実施形態によれば、内部空間は、基体の周縁部分によって定められる上開口を通じてアクセス可能である。さらに、開閉可能な蓋は、蓋の閉状態において、蓋の縁部分が周縁部分に接し、具体的には、周縁部分の外面に接する状態で位置付けられるように適合され得る。蓋の閉状態において、蓋の縁部分は基体の周縁部分の外面に接触または圧し掛かることができる。したがって、蓋の縁部分から基体の周縁部分への段差が存在する可能性があり、その場合その段差は縁部分の外面から周縁部分の外面へと生じ得る。追加部分に関して、追加部分は、基体または蓋に取り付けられる架橋部分を備え、蓋がその閉状態にあるとき、蓋の縁部分、好ましくは蓋の縁部分の外面と、基体の周縁部分との間に移行部を提供するように形成され得る。
【００１９】
好ましくは、移行部は、基体および蓋の凸状外被に追従し得るか、または凸状外被の外側に少なくとも一部位置付けられ得る。基体および蓋のこのような形状の架橋を製造することは、基体および蓋の外面における段差、凹部、または溝が、架橋部分を備える追加部分によって再成形または架橋され得るという肯定的な効果を有し得る。このような再成形または架橋は、貨物運搬具の実質的に流線形とされた外面を提供することができる。
【００２０】
追加部分は、貨物運搬具の基体と蓋との間に実質的に同一面内の移行部を提供することができる。さらに好ましい実施形態によれば、架橋部分は、蓋が閉状態にあるとき、架橋部分の外面と蓋の外面との間に、および／または架橋部分の外面と、基体の外面、好ましくは基体の下方外面と、の間に、実質的に同一面内の移行部を提供する。実質的に同一面内の移行部は、同一面内の移行部を製造するために、それぞれの製造公差内で実質的に同一面内である移行部を備え得る。このような実質的に同一面内の移行部は、架橋部分の外面と蓋の縁部分の外面との間に、および／または架橋部分の外面と基体の周縁部分の外面との間に提供され得る。このような実質的に同一面内の移行部を提供することは、貨物運搬具の効率的な流線形とされた設計をさらに高めることができる。
【００２１】
さらに好ましい実施形態によれば、基体の周縁部分はＵ字形を備え、周縁部分において、基体の側壁の壁部分は外側に湾曲されて自身へと重なっており、これにより側壁の縁部分が下向きに突出し、隙間が下向きに突出した縁部分と基体の側壁の一部分との間に形成される。隙間は、追加部分の架橋部分によって横たわらせられ得るか、覆われ得るか、または満たされ得る。したがって、架橋部分は、基体のＵ字形の周縁部分内の凹部を少なくとも満たす空気変位体を提供することができる。
【００２２】
さらに、隙間は、架橋部分を基体に取り付けるための収容空間を提供することができる。さらなる好ましい実施形態によれば、架橋部分の上縁部分が隙間に収容される。上縁部分は、好ましくは隙間を定める壁部分に当てて支持される。さらに、上縁部分は、隙間の内部空間の方を向いた壁部分の反対の表面部分に当てて支持され、好ましくは二重に支持され得る。別の言い方をすれば、架橋部分の上縁部分は隙間において補強され得る。このような収容部には、貨物運搬具を製造するときに架橋部分を基体に取り付けるためのスナップ留めの組立体が提供され得る。
【００２３】
好ましくは、貨物運搬具の閉状態において、蓋の下縁が、上縁部分に隣接する架橋部分に形成された凹部に収容され得る。したがって、架橋部分の外面と蓋の上方外面との間の実質的に同一面内の移行部は、効率的に製造され得る。
【００２４】
さらなる好ましい実施形態によれば、架橋部分の上縁部分は、好ましくは第１の支持区域が側壁の縁部分の下端部分に接し、第２の支持区域が基体の側壁の反対の上部分に接する状態で、隙間を定める壁部分に対向して当てて支持される２つの支持区域を備える。両方の支持区域は隙間内で互い違いの様態で配置され得る。互い違いの様態での配置は支持区域の段差のような配置を備え得る。さらに、両方の支持区域は中間区域と接続されてもよく、その場合中間区域は、隙間を定める壁部分と接触していない。
【００２５】
さらなる好ましい実施形態によれば、架橋部分の上縁部分は、ジグザグの形を好ましくは備える２つの曲線とされる。架橋部分の上縁部分はＺ字形を備え得る。代替で、架橋部分はＳ字形を備え得る。したがって、架橋部分は、製造されるとき、２回曲げられ得る。上縁部分のこのような形は、基体の隙間または溝の中に架橋部分の効率的な補強を提供できる。
【００２６】
さらなる好ましい実施形態によれば、架橋部分の上縁部分は、好ましくは接着によって、隙間を定める壁部分に接合される。２つの曲線の形であれば、架橋部分は、貨物運搬具を製造する間、架橋部分の上縁部分において隙間へと滑り込むかまたはスナップ留めするとき、架橋部分を支持区域と壁部分との間で均一に接合するために、壁部分に提供される接着剤を分配できる。架橋部分のこのような接合は、貨物運搬具の基体への架橋部分の確実な取り付けを提供できる。
【００２７】
実施形態によれば、架橋部分は、基体および／または蓋を包囲するフレームとして構成され得る。フレームは、実質的に水平な拡張において基体および／または蓋に配置され得る。フレームは隙間に取り付けでき、隙間は周方向の隙間であり得る。フレームは１つ以上のフレーム部品を備え得る。フレームは一体的に形成され得る。別の言い方をすれば、フレームは一体品に製造され得る。代替で、フレームは、互いと接続されてフレームを形成する少なくとも２つの架橋部品を備えてもよい。その他に、少なくとも１つの架橋部品を備えるフレームは途切れてもよい。
【００２８】
少なくとも１つのハンドルおよび／または少なくとも１つの係止部が、貨物運搬具の基体または蓋に１つの側または２つの側に配置させることができ、蓋は一方の側または２つの側において開可能であり得る。さらなる好ましい実施形態によれば、架橋部分は、基体または蓋を水平方向で包囲するフレームを備え、フレームは、貨物運搬具のハンドルおよび／または係止部のための少なくとも１つの孔を好ましくは備える。したがって、追加部分は、少なくとも１つのハンドルおよび／または係止部へアクセスを提供する、水平方向で包囲する架橋部品として設計され得る。追加部分は、貨物運搬具を水平方向で包囲する周方向のスポイラフレームとしてさらに設計され得る。これは、追加部分が追加される、例えば基体といった要素の柔軟性を低下させ、蓋の前下方部分の変形により、魚の口状に開くのを防止することに寄与できる。
【００２９】
さらなる好ましい実施形態によれば、架橋部分は、二重シェル構造を作り出すために基体の周りで延びるフレームを備える。二重シェル構造は、内側基体シェルを形成する基体と、貨物運搬具の外側基体シェルを形成するフレームと、を備え得る。したがって、フレームは基体全体の周りで延び得る。フレームは小さい切欠きを備えてもよく、例えば固定要素に関する通路を提供する。別の言い方をすれば、二重シェル構造は、内側層としての基体と外側層としてのフレームとを備える二層構造を提供することができる。したがって、フレームは基体自体と同様である槽形状を有し、基体を少なくとも一部で包囲して製造され得る。これは、フレーム部品を製造する間に中心部品が除去できるため、有利であり得る。
【００３０】
さらに好ましい実施形態によれば、少なくとも１つの追加部分は、蓋に、好ましくは蓋の後部分に、または基体に、好ましくは基体の前部分に、取り付けられるスポイラ部分を備える。前述した他の効果の他に、スポイラ部分を蓋に取り付けることで、蓋の柔軟性を低下させ、蓋の硬さまたは剛性を増加させることができ、これは、後で説明される蓋の強化された前部分との組み合わせで特に効果的である。貨物運搬具のさらなる実施形態によれば、追加部分は、２つの別々の部分、架橋部分とスポイラ部分とを備える。好ましくは、スポイラ部は蓋の後部分に取り付けられ、スポイラ部分は貨物運搬具の後スポイラを提供することができる。このようなスポイラは、貨物運搬具の空気力学性をさらに高めることができ、さらに車両の運転安定性を高めることができる。さらに、このようなスポイラは蓋の後部分の安定性を増加させることができる。
【００３１】
さらなる好ましい実施形態によれば、スポイラ部分は、スポイラ部分の外面と架橋部分の外面との間に実質的に同一面内の移行部を提供する。この実施形態では、追加部分は、蓋の後部に取り付けられるスポイラ部分と、少なくとも基体の後部に取り付けられる架橋部分と、を備え得る。架橋部分と蓋との間、または架橋部分と基体との間の移行部に関して記載された特徴は、この実施形態によるスポイラ部分と架橋部分との間の移行部にも当てはまることができる。
【００３２】
さらに好ましい実施形態によれば、スポイラ部分は、貨物運搬具を取り扱うために、好ましくはスポイラ部分の後縁部分を越えて突出しない把持部分を備える。把持部分は、スポイラ内で凹まされるかまたは一体化されるハンドルを備え得る。このような把持部分は、空気力学的に効率的である一方で、貨物の効率的な取り扱いを提供することができる。ハンドルは、代替で、スポイラ部分の外側後面に追加の要素として取り付けられてもよい。
【００３３】
さらなる態様によれば、貨物運搬具は、貨物運搬具の固定部材を損傷から保護するために、基体および／または追加部分によって提供される基盤支持部を備える。この態様に関する有益で好ましい発想は、本発明による貨物運搬具で提供可能であるこのような基盤支持部が、一方では固定部材を保護し、他方ではこれらの固定部材を空気力学的に隠蔽する点において見られる。基体および／または追加部分は湾曲した形を有し得る。貨物運搬具の下側は凹状に湾曲した形を有し得る。形は、車両の屋根の形に追従するように適合され得る。したがって、車両の屋根の形は、貨物運搬具の凹状に湾曲した下側によって追従され得る。
【００３４】
態様のうちの１つの実施形態によれば、貨物運搬具は、貨物運搬具を車両に固定するための固定部材を備え、固定部材は、基体、蓋、および追加部分を包み込む凸状外被の中に配置され、基体および／または追加部分は、貨物運搬具を実質的に水平の基盤において支持するための少なくとも２つの基盤接触区域を好ましくは備える。別の言い方をすれば、固定部材は、貨物運搬具の凹状に湾曲した下側の凸状外被を越えて突出しない。基盤接触区域は、固定部材の基盤接触が防止されるように構成および位置決めされ得る。固定部材は、貨物運搬具を車両におけるクロスバーに取り付けるためのクロスバー取り付け締め具もしくは爪であり得る、または、そのようなクロスバー取り付け締め具もしくは爪を備え得る。
【００３５】
態様のうちの１つのさらなる実施形態によれば、基盤接触区域は、固定部材と並べられ得る、つまり同じ高さに配置され得る。代替で、固定部材は、固定部材が基盤と接触できるように、凸状外被を若干越えて突出してもよい。したがって、貨物運搬具は、基盤接触区域と固定部材との両方に圧し掛かることができるように構成され得る。この方法では、貨物運搬具の重量の力が、固定部材に作用する力が少なくとも低減されるように、接触区域と固定部材との間で分配され、接触区域および固定部材を介して伝えられる。別の言い方をすれば、基盤接触区域は、貨物運搬具が基盤で支持されるときに固定部材が貨物運搬具からの接触圧力の全部ではないが一部を受けるように、固定部材より若干高く、貨物運搬具の下側に配置され得る。
【００３６】
固定部材は、基盤と接触しているときに撓むように動くことができてもよく、そのため、基盤接触区域は箱の重量から主な圧力を受けることになる。
【００３７】
態様のうちの１つのさらなる実施形態によれば、基盤接触区域は基体に配置される。したがって、追加部分は、貨物運搬具が基盤において支持されるときに基盤に触れる基盤接触区域を有していなくてもよい。基体は艶のない表面構造を有することができ、追加部分は艶のある表面構造を有することができる。したがって、フレームおよび追加部分の後スポイラは、艶のある表面構造を有し得る。蓋も艶のある表面構造を有し得る。艶のない表面構造は、艶のある表面構造と比較して傷つきにくい。好ましい構成のため、艶のない表面を伴う基体だけが基盤に触れることができ、したがって、追加部分および蓋の傷のつきやすい艶のある表面が基盤と接触するのを回避することができる。
【００３８】
貨物運搬具のこのような構成は、車両の屋根に位置決めされるとき、固定部材が空気力学的に隠蔽でき、基盤に位置決めされるとき、固定部材が基盤に触れることから保護でき、延いては基盤との接触、およびそれによって引き起こされる損傷から保護できるという有利な効果を提供する。基盤接触区域は、少なくとも３つの点状の区域が提供され得る実質的に点状の接触区域、および／または実質的に線状の接触区域とすることができる。したがって、基体および／または追加部分は、基盤に位置決めされるとき、基盤と一部で接触することができる。したがって、このような基盤支持部の構想は、固定部材の摩耗の保護を提供することができる一方で、同時に特に空気力学的に効率的である。
【００３９】
特に屋根上の貨物運搬具である貨物運搬具を製造するための方法は、輸送される品物を積むための内部空間を伴う槽形状を有する基体を形成するステップ、好ましくは成型するステップと、基体を覆うための形状を有する蓋を形成するステップ、好ましくは成型するステップと、を含む。方法は、蓋が開閉可能となるように、蓋を基体とヒンジで連結するステップをさらに含む。その他に、方法は、追加部分を基体および蓋の少なくとも一方に取り付け、それによって貨物運搬具の外部体積全体を拡大するステップをさらに含む。追加部分は空気力学的な効果を有し得る。
【００４０】
さらなる態様によれば、貨物運搬具に取り付け可能な後スポイラが提供される。後スポイラは貨物運搬具の開閉可能な蓋に取り付け可能であり得る。この態様による後スポイラは、追加部分のスポイラ部分の少なくとも１つの特徴を備え得るか、またはその逆もあり得る。
【００４１】
好ましくは、後スポイラの上縁部分は、蓋の上面に、好ましくは上面における段差部分に、取り付け可能であり得る。後スポイラは、蓋の上面と実質的に同一面内の移行部を提供するように構成され得る。追加または代替で、後スポイラ、好ましくはスポイラの後上方部分は、蓋と係合可能となるように構成され得る。
【００４２】
好ましくは、後スポイラの下縁部分は蓋の下縁に、好ましくは膨らんだ縁表面に、取り付け可能であり得る。後スポイラは、蓋の下縁と実質的に同一面内の移行部を提供するように構成され得る。追加または代替で、後スポイラ、好ましくはスポイラの後下方部分は、貨物運搬具の基体と、および／または基体に取り付けられる追加部分と、実質的に同一面内の移行部を提供することができる。同一面内の移行部が、基体および／または蓋もしくは架橋部分を包囲するフレームと、スポイラの後部分と、の間にさらに設けられ得る。
【００４３】
さらなる貨物運搬具、具体的には屋根上の貨物運搬具が提供され得る。貨物運搬具は、輸送される品物を積むための内部空間を伴う槽形状を有する基体部分を備え得る。内部空間は、周縁部分によって定められる上開口を通じてアクセス可能であり得る。貨物運搬具は、基体部分にヒンジで連結される開閉可能な蓋を備えることができ、閉状態において、蓋の縁部分が周縁部分の横外面に接触する状態で、周縁部分に圧し掛かるように適合され得る。貨物運搬具は、基体部分に搭載される架橋部分を備えることができ、架橋部分は、蓋が閉状態にあるとき、蓋の外面から架橋部分の外面への実質的に継ぎ目のない移行部を提供するように形成される。貨物運搬具の構成要素は、先に記載した貨物運搬具の対応する構成要素と同じ方法で構成され得る。
【００４４】
別の貨物運搬具、具体的には屋根上の貨物運搬具を提供することができ、貨物運搬具は、輸送される品物を積むための内部空間を伴う槽形状を有する基体と、前記基体にヒンジで連結される開閉可能な蓋と、を備える。貨物運搬具は、基体および蓋の少なくとも一方に取り付けられる追加部分を備える。追加部分は、前記基体を包囲するフレームを備え、フレームは、内側基体シェルを形成する基体と、貨物運搬具の外側基体シェルを形成するフレームとを備える二重シェル構造を作り出すために、基体の周りで好ましくは延びる。この貨物運搬具の構成要素は、先に記載した貨物運搬具の対応する構成要素と同じ方法で構成され得る。追加部分は、空気力学的な効果を有し得る、および／または貨物運搬具の外部体積全体を拡大するために提供され得る。
【００４５】
さらなる態様によれば、貨物運搬具のための蓋が提供される。貨物運搬具は、先に記載しているような貨物運搬具とすることができ、蓋は、このような貨物運搬具との組み合わせで使用できるが、例えば従来の貨物運搬具といった異なる貨物運搬具との組み合わせでも使用できる。蓋は補強された前部分を備え、前記蓋の柔軟性を、少なくとも前記補強された前部分において低下させ得る。補強された前部分は補強構造を備えることができ、その場合、前記補強構造は少なくとも２つの連続的な細長い補強区域を備え得る。したがって、蓋が、異なる貨物運搬具に関して先に記載された追加部分に加えて使用される場合、蓋に提供された補強構造は、蓋に剛性を追加的に提供する貨物運搬具に追加され得る。
【００４６】
少なくとも２つの連続した細長い補強区域の各々は、蓋の内面に沿って延びてもよく、または蓋の内面において定められてもよく、異なる主延在方向を備えてもよい。少なくとも２つの連続した細長い補強区域は互いと交差することができる。代替または追加で、少なくとも２つの連続した細長い補強区域の各々は、微分可能関数によって定められる経路に沿って延びることができる。
【００４７】
このような補強された蓋の有利な効果は、蓋の前部分の剛性が増加され、それによって、蓋に作用する内力または外力によって、具体的には蓋の前下方部分の変形により発生させられる望ましくない魚の口状に開くことをもたらし得る力による前記蓋の変形を少なくとも低減し、好ましくは十分に防止する点において見られ得る。したがって、蓋の前部分は、蓋の前強化部または前補強部であり得るか、または蓋の前強化部または前補強部を備え得る。別の言い方をすれば、剛性を増加させることによって、蓋の前部分をより変形させにくくする。
【００４８】
補強構造は蓋の表面または内部に提供され得る。別の言い方をすれば、補強された前部分は、蓋に適用される別体の部材であり得るか、または蓋と一体にもしくは蓋において一体に形成される構造であり得る。
【００４９】
好ましくは、蓋は内壁を備え、補強構造は蓋の前部分において蓋の内壁に設けられる。補強構造は、補強構造の外側輪郭が蓋の内壁の形に少なくとも一部で追従するように、蓋の内壁の形に従って構造化され得る。この方法では、補強構造を蓋の内壁に取り付けるのに有利である補強構造と蓋との間の接触が提供できる。補強構造は、例えばリベットといった適切な固定部材を用いて内壁に取り付けることができ、または例えば接着または溶接を用いて、内壁に接合され得る。
【００５０】
補強構造は、蓋の内面において蓋の前部分に適用されるシートに、またはそのようなシートとして、形成され得る。シートは単一の切れ目のないシートであり得る。補強構造は、シートを塑性的に変形させることで、または剛性および硬さを作り出す特定のパターンを伴うシートを成型することで、形成され得る。シートは、シートが蓋の前部分の内側上壁部分を覆うだけでなく、内上壁から続く蓋の内側壁に沿って少なくとも一部で下向きに延びるような様態で、シートを蓋に取り付けることができる寸法および形を備え得る。シートは、蓋の内壁の角がシートによって覆われないままとなるようにさらに構成されてもよい。これは、重量を抑え、シートによって蓋の前部分に追加される全体の剛性を若干だけ低下させる。
【００５１】
補強構造は蓋前部分の大部分にわたって延び、例えば前部分における蓋の内面にわたって横に、蓋の内壁の前端部分から、蓋における最も前のヒンジ取り付け部分まで、またはそのようなヒンジ取り付け部分を越えてといった、好ましくは実質的に蓋前部分全体にわたって延びるように構成され得る。この場合、補強構造はシートを備え、好ましくは切れ目のないシートを備え、シートは蓋前部分の大部分を覆うように構成され得る。
【００５２】
任意選択で、さらなる補強構造が、蓋中間部分にわたって延び、好ましくは蓋中間部分にわたって横に延びるように構成され得る。任意選択のさらなる補強構造は、前述した補強構造とは別であってもよい。
【００５３】
本開示の文脈において、補強区域の主延在方向は、それぞれの細長い補強区域が長さ方向において主に延びる方向に関連し得る。真っ直ぐの細長い補強区域において、主延在方向は、真っ直ぐの細長い補強区域の長手方向軸に対応する、または、そのような長手方向軸と平行である。湾曲または弓状の細長い補強区域において、主延在方向は、細長い補強区域の端を接続する直線の方向において見られ得る。主延在方向は、貨物運搬具の基体部分と平行な突出平面における細長い補強区域の正味の経路として定められ得る。正味の経路は、細長い補強区域の実際の形態を考慮することなく、前記経路の始まりから前記区域の終わりまでの真っ直ぐな経路である。例えば、細長い補強区域のうちの１つは、蓋の長手方向との交差を意味する蓋の交差方向において延びてもよく、少なくとも２つの細長い補強区域の別の補強区域は蓋の長手方向において延びてもよい。したがって、補強区域の形状は、少なくとも一部で、（二重の）交差構造またはハッシュ構造を備え得る。細長い補強区域のうちの少なくとも１つは一方向において湾曲されてもよい。好ましくは、細長い補強区域のうちの１つ以上は湾曲または屈曲した形を備える。好ましくは、細長い補強区域のうちの１つ以上は真っ直ぐの形を備える。したがって、補強区域は複数の方向において延びることができる。
【００５４】
好ましい構成によれば、細長い補強区域のうちの１つは蓋の長手方向において延び、細長い補強区域のうちの別の１つは蓋の交差方向において延びる。蓋の交差方向または横方向において延びる細長い補強区域は、蓋の前端に向けて凸状の様態で湾曲され得る。別の言い方をすれば、交差方向に延びる細長い補強区域は、蓋の前端に向けて膨らまされた中間区域を備えてもよい。２つ以上の細長い補強区域は互いに貫くことができる。好ましい構成では、２つの細長い補強区域、好ましくは実質的に平行な細長い補強区域が、蓋の長手方向に延び、少なくとも１つの補強区域が細長い補強区域の両方と交差する。少なくとも１つの交差補強区域のうちの少なくとも１つは、湾曲または弓状である。少なくとも１つの交差補強区域のうちの少なくとも最も前のものは、好ましくは実質的に鉛直に延びる蓋の前方壁部分に対応して湾曲され得る。２つの好ましくは平行な細長い補強区域の前方端部分と、それらと交差する補強区域の一部分と、は、蓋が基体部分に搭載されるときに蓋を開けるのを支援するためのヒンジまたは蓋持ち上げ装置の固定領域を制限するＵ字形を定め得る。このような構成では、前方端部分は、蓋の長手方向において、追加の剛性を固定領域において提供する固定領域を越えて延び得る。
【００５５】
代替または追加で、少なくとも２つの連続した細長い補強区域のうちの少なくとも２つは互いと交差できる。
【００５６】
代替または追加で、少なくとも２つの連続した細長い補強区域のうちの少なくとも１つは、微分可能関数によって定められる経路に沿って好ましくは延びることができる。微分可能関数は一定に微分可能な関数であり得る。したがって、少なくとも２つの連続した細長い補強区域のうちの少なくとも１つは、捩じれまたは鋭い曲げのない経路に沿って延びる。したがって、経路は滑らかに形成され得る。したがって、前記細長い補強区域の各々の正確な形態は微分可能関数によって記載でき、微分可能関数は、導関数がその定義域における各々の点において存在する数学関数として定義される。数学関数は、例えば多項式関数またはスプラインであり得る。各々または少なくとも１つの連続した細長い補強区域が、捩じりのなく途切れのない経路に沿って形成され得る。
【００５７】
好ましくは、交差する細長い補強区域のうちの少なくとも１つ、より好ましくはすべてがつながっており、つまりその全長に沿って切れ目がない、または連続的である。本開示の文脈において、切れ目がないという用語は、細長い補強区域の少なくとも１つの寸法決定がその補強区域の全長に沿って実質的に一定のままであるような様態であると理解され得る。細長い補強区域の構成に依存して、可能な寸法決定には、限定されることはないが、細長い補強区域の幅、細長い補強区域の高さ、および細長い補強区域の壁厚がある。例えば、細長い補強区域は、延在の長さに沿って実質的に一定の高さを備えることができる一方で、幅は変化してもよいし一定であってもよい。好ましくは、幅も実質的に一定である。したがって、蓋の壁と、前記細長い補強区域を制限する自由端部分または補強壁と、の間の切れ目のない距離が作り出され、前記細長い補強区域の実質的な全長に沿って縮小させられない場合、これは好ましい。
【００５８】
細長い補強区域は、延在方向に沿って隣接する部分同士の間にそれらの部分を互いから十分に離間させるずれがない場合、連続的と見なされ得る。しかしながら、細長い補強区域の一部分同士が、細長い補強区域を途切れさせない様態である程度まで互いに対してずれているかまたは変位させられることは可能である。例えば、ある幅を有する細長い補強区域は、細長い補強部分の一部分が交差する細長い補強区域の両側に位置付けられるように、別の細長い補強区域と交差してもよい。細長い補強部分は、特定の幅を備えることができ、別の細長い補強区域と交わることができ、他方の側においてずれているかまたは変位させられる手法で連続することができる。したがって、細長い補強部分の幅が一定に保たれつつ別の細長い補強部分と交差する一方で、別の細長い補強区域に入る部分と、別の細長い補強部材を離れる部分と、はそれらの部分がなおも一部で重なるような様態で互いに対してずれることができる。２つの細長い補強区域の間の交差する区域は、この記載の文脈内において途切れを形成しない。
【００５９】
好ましくは、各々の連続的な細長い補強区域は、例えば蓋の長手方向において蓋の前部分の少なくとも３分の２といった蓋の前部分の相当の部分にわたって延び、より好ましくは前部分全体にわたって延び、これは、連続的な細長い補強区域が、蓋の端区域を形成する蓋の側壁まで延び、好ましくはそのような側壁へと所定の距離で延びることができ、具体的には基体部分に接触するために蓋の端区域または縁を形成することを意味する。好ましくは、補強区域のうちの少なくとも１つは、蓋の幅の大部分にわたって延びる。
【００６０】
蓋の前部分は、蓋におけるヒンジ機構固定部分から、好ましくは蓋の長手方向におけるヒンジ機構固定部分の前方端から、蓋の前端まで及ぶ蓋の部分であり得る。したがって、蓋の前部分は、蓋に連結される最も前のヒンジ機構を越えて突出する蓋の部分として見られ得る。前方部分の前方端領域において、ヒンジまたは蓋持ち上げ装置は、基体部分に搭載されるときに蓋が開くのを支援するために固定され得る。したがって、前述したようなシートであり得る補強構造は、蓋持ち上げ装置および最も前のヒンジが蓋と補強シートとの両方を通じて固定されるように、蓋持ち上げ装置と最も前のヒンジとの間で少なくとも延びることができる。別の言い方をすれば、シートは、ヒンジおよび蓋持ち上げ装置の固定領域において二重層構造を作り出すように形成され得る。蓋持ち上げ装置は、前記貨物運搬具を開けるときに前記蓋を前記基体から持ち上げる過程を支援する構造である。蓋持ち上げ装置は液圧の蓋持ち上げ装置であり得る。また、蓋の開位置は前記蓋持ち上げ装置によって維持でき、前記貨物運搬具に荷積みおよび荷降ろしする間に、荷積みおよび荷降ろしの過程を通じて蓋を手で保持する必要なく、前記蓋を前記基体に対して開位置で維持する。ヒンジは、前記基体と前記蓋とをヒンジで連結する任意のヒンジであり得る。使用者が、例えば側壁または前においてといった異なる位置において前記蓋を持ち上げることで、前記貨物運搬具を開けることができるため、異なる力が持ち上げ過程の間に蓋に加えられ得る。少なくとも前記ヒンジと前記蓋持ち上げ装置との間で延びる補強構造は、使用者が蓋を開けるときに蓋を安定化させることで、前記蓋の持ち上げと蓋の下げ降ろし過程を助けることができる。
【００６１】
細長い補強区域はリブまたは突出部として具現化され得る。したがって、細長い補強リブが細長い補強区域を形成できる。リブは、中実の材料から作ることができ、または、中空の内部を備えてもよい。各リブは単一の細長い補強区域を形成することができる。したがって、本開示によれば、格子状またはグリッド状の構造が、蓋の前部分の内壁に適用されるときに補強として機能するリブによって具現化され、それによって蓋の補強された前部分を形成することができる。
【００６２】
補強構造は、好ましくは実質的に一定の厚さを有するシートを成型することから形成されてもよく、通路または溝がシートの一方の側に形成され、突出部がシートの反対側において対応する部分に形成されるような様態とされてもよい。溝または通路は、特定の高さを備える突出部を反対側にもたらす特定の深さを備えることができ、特定の深さおよび高さは実質的に一定であり得る。一方の側に形成される通路と、シートの反対側における対応する突出部と、は通路の全長および突出部にわたって好ましくは実質的に一定である特定の幅を備え得る。偏差は、２つの通路または溝が互いと交差する領域において生じ得る。
【００６３】
溝同士または通路同士の間のシートの領域は、補強構造を蓋の内壁に固定するために利用可能であり得る。このような領域は固定部分として参照され得る。補強構造は、固定部分が溝または通路および突出部の幅より大きい幅を備えるように形成されてもよい。これは、蓋の内壁において補強構造を支持するための大きな支持領域を提供し、これは、例えば強い接合を作り出す接着によって、補強構造を蓋の内壁に接合するために使用されてもよい。
【００６４】
補強構造は、シートに配置され、好ましくはシートに固定的に取り付けられるリブ、またはシートと一体に形成されるリブを備え得る。
【００６５】
補強構造は、細長い補強区域、好ましくは互いと交差するリブまたは突出部から形成されたグリッド、格子、網、または細切れ状のパターンを備え得る。パターンは、蓋および補強構造が一体品を形成するように蓋と一体に形成され得る。パターンは、蓋に取り付けられる別体の部材として形成され得る。したがって、パターンは蓋に取り付け可能な追加部であり得る。
【００６６】
グリッドまたは格子のようなパターンは、実質的に平行なリブまたは突出部の第１のグループと、第１のグループのリブに対して角度が付けられて配置される実質的に平行なリブまたは突出部の第２のグループと、によって、第２のグループのリブが第１のグループのリブと交差するかまたは貫くようにして形成され得る。この方法では、菱形、矩形、または二次の断面固定部分がリブ同士または突出部同士の間に作り出され得る。
【００６７】
上記の補強構造であれば、補強は、補強が２つの方向に延びる蓋の前において作り出され得る。第１の補強区域は第１の方向において延びることができ、第２の補強区域は、第１の方向と異なる第２の方向において延びることができる。補強区域は、好ましくは互いと交差または垂直となって、少なくとも２つの方向において延び、好ましくは主方向と副方向とにおいて延びる。
【００６８】
補強された前部分が上記の魚の口状の影響または作用をしっかりと防止するため、基体または蓋に搭載される貨物運搬具の前内側端における基体または停止部材に蓋を追加的に連結するために、および輸送される積荷が貨物運搬具の前方端に達し、開いた魚の口のように見え得る開口の形成の下で蓋と基体との間を通過することを回避するように、蓋および基体の他方のものへと突出するために、蓋の前部分において架橋部分を提供することは必要ではない。
【図面の簡単な説明】
【００６９】
【図１】実施形態による貨物運搬具の上方からの斜視図である。
【図２】図１における貨物運搬具の側面図である。
【図３】図１における貨物運搬具の下方からの斜視図である。
【図４】図１の貨物運搬具の分解図である。
【図５】図１における貨物運搬具の長手方向での断面図である。
【図６】図５の長手方向での断面図から切り取られた貨物運搬具の前部分の詳細図である。
【図７】図５の長手方向での断面図から切り取られた貨物運搬具の後部分の詳細図である。
【図８】図１の貨物運搬具の第１の断面図である。
【図９】図１の貨物運搬具の第２の断面図である。
【図１０】図８の第１の断面図から切り取られた貨物運搬具の横部分の詳細図である。
【図１１】図１０の詳細図から切り取られた貨物運搬具のさらなる横部分のさらなる詳細図である。
【図１２】分離された様態で図１０の詳細図から切り取られた図１の貨物運搬具の追加部分の一部分を示す図である。
【図１３】分離された様態で図１０の詳細図から切り取られた図１の貨物運搬具の基体部分の一部分を示す図である。
【図１４】図１の貨物運搬具の下方からの図である。
【図１５】基盤に圧し掛かる図１の貨物運搬具の図である。
【図１６】後スポイラの側面図である。
【図１７】図１４の後スポイラの上方からの斜視図である。
【図１８】実施形態による補強された前部分を備える蓋の下面図である。
【図１９】図１８に示された蓋の斜視図である。
【図２０】蓋の前部分に取り付け可能な補強構造の構成の図である。
【図２１】蓋の前部分に取り付け可能な代替の補強構造の構成の図である。
【図２２】蓋の前部分に取り付け可能なさらなる代替の補強構造の構成の図である。
【図２３】さらなる代替の補強構造が取り付けられている蓋の前部分の図である。
【図２４】別の代替の補強構造が取り付けられている蓋の前部分の図である。
【図２５】さらなる代替の補強構造が取り付けられている、さらなる代替の実施形態による補強前部分を備える蓋の下面図である。
【図２６】図２５の補強構造の下面図である。
【図２７】図２５の補強構造の斜視図である。
【発明を実施するための形態】
【００７０】
図１では、本発明の実施形態による貨物運搬具２が上方からの斜視図において示されている。貨物運搬具２は、基体（図１では見ることができない）と、開閉可能な蓋２０と、基体と蓋２０との両方に取り付けられる追加部分４と、を備える。蓋２０は、図１６〜図２５に関連して記載されている補強された蓋２０のうちの１つであり得る。蓋２０は基体にヒンジで連結されている。追加部分４は蓋２０および基体のそれぞれと固定的に連結されている。
【００７１】
追加部分４は、貨物運搬具の全体の硬さにおける増加に寄与する安定性を追加することができる。図１６〜図２５に関連して記載された補強された蓋２０の補強された前部分２１が、追加部分４に加えて、貨物運搬具２の全体の硬さにおける増加に寄与する追加的な安定性を追加することができる。
【００７２】
追加部分４は架橋部分３０とスポイラ部分５０とを備える。架橋部分３０は基体に取り付けられており、スポイラ部分５０は蓋２０の後部分に取り付けられている。蓋２０が開閉可能であるため、架橋部分３０とスポイラ部分５０とは、基体に対する蓋２０の可動性を許容するために相互に接続されていない。
【００７３】
架橋部分３０は、基体を水平方向に包囲するフレーム４０として設計されている。一体に形成されたフレーム４０は、複数の架橋部分、すなわち前架橋部分３５と、後架橋部分３６と、２つの横架橋部分３７と、を備える。代替で、フレームは、少なくとも２つの別々の架橋部品によって提供され、互いに連結され得るこれらの架橋部分３５、３６、３７から組み立てられ得る。左横架橋部分３７が、前架橋部分３５の左横部分と後架橋部分３６の左横部分との間に配置されている。右横架橋部分３７が、前架橋部分３５の右横部分と後架橋部分３６の右横部分との間に配置されている。「前」、「後」、「左」、および「右」という用語は、車両の屋根（図示略）に搭載されるときの貨物運搬具２の運動の方向Ｄを参照している。
【００７４】
図１に示されているような貨物運搬具２は長手方向中心軸Ａ−Ａを備える。この軸Ａ−Ａは、蓋２０、基体、追加部分４の架橋部分３０、および／またはスポイラ部分５０の外形に関して対称の鉛直平面において、水平方向に延びている。別の言い方をすれば、これらの構成要素は、対称の鉛直平面に関して鏡面対称性を備え、そのため対称的な空気力学的設計軸が提供されている。
【００７５】
図２では、図１の実施形態による貨物運搬具２がその左側から示されている。基体１０は一部示されている。貨物運搬具２の外形は次のように設計されている。第１の実質的に同一面内の移行部Ｔ１が、蓋２０の前部分と前架橋部分３５との間に設けられている。第２の実質的に同一面内の移行部Ｔ２が、蓋２０の横部分と横架橋部分３７の各々との間に設けられている。第３の実質的に同一面内の移行部Ｔ３が、スポイラ部分５０の外面５１と後架橋部分３６との間に設けられている。実質的に同一面内の通路Ｔ４が、前架橋部分３５と横架橋部分３７の各々との間に設けられており、フレームが別々の架橋部品から組み立てられる場合には実質的に第４の同一面内の移行部となり得る。実質的に同一面内の通路Ｔ５が、後架橋部分３６と横架橋部分３７の各々との間に設けられており、フレームが別々の架橋部品から組み立てられる場合には実質的に第５の同一面内の移行部となり得る。第６の実質的に同一面内の移行部Ｔ６がスポイラ部分５０と蓋２０の後部分との間に設けられている。貨物運搬具２の長手方向の区域から生じる長手方向の輪郭Ｓ１は、時計回り方向において移行部Ｔ１、Ｔ６、およびＴ３を備え、したがって、輪郭Ｓ１は貨物運搬具２の実質的に同一面内の輪郭として設計されている。
【００７６】
スポイラ部分５０は把持部分５２を備える。貨物運搬具２は横ハンドル４２と係止部４４とを備える。横ハンドル４２は、蓋２０を手で開閉するために蓋２０に配置されている。係止部４４は、閉じた蓋２０を係合および係止するために基体１０に配置されている。フレーム４０の横架橋部分３７のうちの一方は、基体１０が架橋部分３０によって包囲されていても係止部４４へのアクセスを許容する係止凹部４５を備える。
【００７７】
貨物運搬具２は、基体１０の下部分に取り付けられた固定部材６０をさらに備える。これらの固定部材６０は、車両の屋根に搭載されたそれぞれのクロス部材（図示略）における貨物運搬具２の固定を許容する。基体１０、蓋２０、および追加部分４を包み込む凸状外被７に関して、すべての固定部材６０はこの凸状外被７の内側に位置付けられる。
【００７８】
図３では、貨物運搬具２は下方からの斜視図で示されている。例えば４つの固定部材６０といった固定部材６０は、異なって離間されるクロス部材に適合されるように長手方向で変位可能な様態で基体１０に取り付けられる。その他に、基盤接触区域６２は、例えば基体１０の前部分において２つ、基体１０の後部分において２つが、基体１０に配置される。代替で、基盤接触区域６２は追加部分４に配置され、より明確には、例えば前架橋部分３５における２つの基盤接触区域６２と、後架橋部分３６における２つの基盤接触区域６２と、のように、架橋部分３０に配置され得る。
【００７９】
図３においてさらに示されているように、第７の実質的に同一面内の移行部Ｔ７が、前架橋部分３５と基体１０との間、後架橋部分３６と基体１０との間、および横架橋部分３７の各々と基体１０との間に設けられている。したがって、第２の移行部Ｔ２（図２に関連して記載されている）および第７の移行部Ｔ７を備える貨物運搬具２の断面（図８に示されている）から生じる断面の輪郭Ｓ２は、貨物運搬具２のさらなる実質的に同一面内の輪郭として設計されている。
【００８０】
図４では、貨物運搬具２は分解図で示されており、上から下へ、追加部分４のスポイラ部分５０を伴う蓋２０と、基体１０と、追加部分４の架橋部分３０とが別々に各々示されている。蓋２０は、蓋２０の下側において縁部分２２を備える。基体１０は、その上側において周縁部分１２を備える。基体１０の内側には、品物（図示略）を貨物運搬具２の内側、より明確には、基体１０および／または蓋２０の内側に積むための内部空間１１が設けられる。架橋部分３０は、前架橋部分３５と、後架橋部分３６と、フレーム４０を形成する２つの横架橋部分３７と、を備える。
【００８１】
蓋２０は、少なくとも１つのヒンジ（図示略）によって基体１０に連結される。追加部分４が基体１０および蓋２０にそれぞれ追加されるとき、追加部分４の架橋部分３０は基体１０と係合させられ、追加部分４のスポイラ部分５０は蓋２０と係合させられる。したがって、貨物運搬具２の製造過程はそれぞれの係合ステップを含み得る。
【００８２】
図５では、貨物運搬具２は、図１に指示されているような長手方向の鉛直な断面Ａ−Ａにおいて示されている。基体１０に取り付けられた架橋部分３０に関連して、より明確には、前架橋部分３５に関連する図５の詳細Ｃは、印が付けられており、図６に関連してさらに記載されており、蓋２０に取り付けられたスポイラ部分５０に関連する図５の詳細Ｄは、印が付けられており、図７に関連してさらに記載されている。固定部材６０は基体１０にスライド可能に取り付けられている。
【００８３】
図６では、図５の詳細Ｃが示されている。蓋２０の閉状態において、蓋２０の縁部分２２は基体１０の周縁部分１２に圧し掛かっている。架橋部分３０、より明確には前架橋部分３５は、下方から基体１０と係合し、より明確には、周縁部分１２へと係合する。その他に、架橋部分３０、より明確には前架橋部分３５は、基体１０の下縁部分９を覆い、より明確には前下縁部分を覆う。
【００８４】
基体１０および蓋２０の凸状外被６の一部が、基体１０および蓋２０を包み込んで概略的に示されている。架橋部分３０、より明確には前架橋部分３５は、基体１０から外向きに延び、凸状外被６を越えて突出している。別の言い方をすれば、前架橋部分３５の下位部分が凸状外被６内に位置付けられており、この下位部分は基体１０の周縁部分１２と係合させられており、また、前架橋部分３５のさらなる下位部分が凸状外被６の外側に位置付けられており、この下位部分は、前架橋部分３５と蓋２０との間、および前架橋部分３５と基体１０との間に、実質的に同一面内の移行部Ｔ１、Ｔ７を提供している。図６においてさらに示されているように、架橋部分３０の輪郭、より明確には前架橋部分３５の輪郭は、多角的な繋がりとして実質的に形成されている。代替または追加で、架橋部分３０の輪郭は湾曲されてもよい。
【００８５】
図７では、図５の詳細Ｄが示されている。蓋２０の閉状態において、後架橋部分３６は、下方から基体１０と係合させられ、より明確には周縁部分１２と係合させられる。後架橋部分３６は基体１０の後下縁部分を覆う。図６の基体１０および蓋２０の凸状外被６は図７でも示されている。架橋部分３０、より明確には後架橋部分３６は、基体１０から外向きに延び、凸状外被６を越えて突出している。さらに、横架橋部分３７も凸状外被６（図６および図７では図示略）を越えて突出できる。
【００８６】
別の言い方をすれば、後架橋部分３６の下位部分が凸状外被６内に位置付けられており、この下位部分は基体１０の周縁部分１２と係合しており、また、後架橋部分３６のさらなる下位部分が凸状外被６の外側に位置付けられており、この下位部分は、後架橋部分３６とスポイラ部分５０との間に、および後架橋部分３６と基体１０との間に、実質的に同一面内の移行部Ｔ３、Ｔ７を提供している。したがって、同一面内の移行部Ｔ３はフレーム４０とスポイラ部分５０の後部分との間にさらに提供されている。図７においてさらに示されているように、後架橋部分３６の輪郭は多角的な繋がりとして実質的に形成されている。代替または追加で、この輪郭は湾曲されてもよい。スポイラ部分５０は、好ましくは同一面内の移行部Ｔ６に隣接して、蓋２０にボルト留めまたはリベット留めされ得る。
【００８７】
図７において一部示されているようなスポイラ部分５０の輪郭に関して、輪郭は、貨物運搬具２の後部に配置される羽根の形とされた輪郭を備える。輪郭は、図７に示されているような実質的に三角形の基体の形を有する多角的な繋がりとして、実質的に形成されている。追加または代替で、輪郭は湾曲されてもよい。したがって、蓋２０の実質的に平坦な後部分が貨物運搬具２の後方向に延ばされている。これらの形はスポイラ部分５０を蓋２０に追加することで提供されている。
【００８８】
図８では、貨物運搬具２は、図２に指示されているような断面Ｂ−Ｂにおいて示されている。追加部分４に関して、基体１０に取り付けられている架橋部分３０に関連し、より明確には横架橋部分３７のうちの一方に関連する図８の詳細Ｅは、印が付けられており、図１０を参照してさらに記載されている。横架橋部分３７と蓋２０との間の、および横架橋部分３７と基体１０との間の実質的に同一面内の移行部Ｔ２、Ｔ７は、図２および図３に関してすでに記載されているように、図８にも示されている。断面の輪郭Ｓ２は、貨物運搬具２の実質的に同一面内の断面を提供する。
【００８９】
図９では、貨物運搬具２は、図２にさらに指示されているようなさらなる断面Ｃ−Ｃにおいて示されている。図９に示されているように、蓋２０は、それぞれの係止およびヒンジの機構４６が貨物運搬具２の内側に配置されている状態で、貨物運搬具２の両方の横側の各々において開閉可能である。ハンドル４２が貨物運搬具２の両方の横側において蓋２０に取り付けられている。さらに、係止部４４と、フレーム４０内のそれぞれの係止凹部４５と、が貨物運搬具２の両方の横側において基体１０に配置されている。係止凹部４５に隣接して、架橋部分３０は、横架橋部分３７の上方部分３７ａと横架橋部分３７の下方部分３７ｂとに分割されている。
【００９０】
図１０では、図８の詳細Ｅが示されている。第２の実質的に同一面内の移行部Ｔ２が、蓋２０の縁部分２２の外面２３と架橋部分３０の外面３１との間に設けられ、より明確には蓋２０の横縁部分２２の外面２３と横架橋部分３７の外面３１との間に設けられている。
【００９１】
第７の実質的に同一面内の移行部Ｔ７は、架橋部分３０の外面３１と基体１０の下方外面１５との間に設けられている。代替で、第７の実質的に同一面内の移行部Ｔ７は、架橋部分３０の外面３１と基体１０の側壁１６の外面３０との間に設けられてもよい。基体１０への架橋部分３０の取り付けに関して、および基体１０への蓋２０の圧し掛かりに関して、詳細Ｆが図１０において印付けられており、図１１においてさらに記載されている。
【００９２】
図１１では、図１０の詳細Ｆが示されている。蓋２０の閉状態において、蓋２０の縁部分２２の内面２４は基体１０の周縁部分１２の外面１３に圧し掛かっている。実質的に同一面内の縁移行部Ｔ８（図２および図３においても指示されている）が、蓋２０の縁部分２２の端部分と基体１０の周縁部分１２の端部分との間に提供されている。図１１でも示されているように、架橋部分３０の外面３１、より明確には、横架橋部分３７の外面３１は、蓋２０の外面２３と実質的に同一面内にあり、隙間がそれぞれの実質的に同一面内の移行部Ｔ７に設けられている。
【００９３】
図１１および図１２において示されているように、架橋部分３０の上縁部分３２が第１の支持区域３３と第２の支持区域３４とを有している。第１の支持区域３３と第２の支持区域３４とは中間区域３８と接続されている。
【００９４】
図１１および図１３において示されているように、基体１０の周縁部分１２は、基体１０の上端において、より明確には基体１０の側壁１６の上端において、Ｕ字形壁部分１７を備える。Ｕ字形は、壁部分１７を外側に湾曲させて自身へと重ねることで提供されている。したがって、側壁１６の縁部分１８が下向きに突出し、側壁１６の残っている非湾曲部分１８ａの反対に位置付けられている。Ｕ字形壁部分１７のＵ字部分内には、隙間１９が設けられている。隙間１９は、下向きに突出する縁部分１８と側壁１６の反対部分１８ａとの間に形成されている。
【００９５】
図１１に示されているように、第１の支持区域３３は側壁１６の縁部分１８と接触する。第２の支持区域３４は側壁１６の反対部分１８ａと接触する。第１の支持区域３３と第２の支持区域３４とは、側壁１６の縁部分１８と側壁１６の反対部分１８ａとにそれぞれ当てられて支持される。支持区域３３、３４は隙間１９内で異なる高さに配置されており、第１の支持区域３３は第２の支持区域３４の下方に配置されている。追加または代替で、第１の支持区域３３と第２の支持区域３４とは、側壁１６の縁部分１８と側壁１６の反対部分１８ａとにそれぞれの補強位置において接合されてもよい。
【００９６】
図１〜図１３に示されているような貨物運搬具２の実施形態は、基体１０および蓋２０に取り付けられる追加部分４を備え、空気力学的に効率的な設計が提供されており、特に、実質的に同一面内の移行部および通路Ｔ１〜Ｔ８と輪郭Ｓ１およびＳ２とに関して実施されている。したがって、空気力学性に加えて、貨物運搬具２の効率的な製造のための効率的な貨物運搬具２の製造組み立てが提供される。
【００９７】
図１４では、貨物運搬具２の下側が下方から示されている。２つの左基盤接触区域６２が２つの左固定部材６０と実質的に並べられて配置されており、２つの左固定部材６０は２つの左基盤接触区域６２の間に位置決めされている。２つの右基盤接触区域６２が２つの右固定部材６０と実質的に並べられて配置されており、２つの右固定部材６０は２つの右基盤接触区域６２の間に位置決めされている。両方とも、基盤接触区域６２および固定部材６０は基体１０に配置されている。基体１０の後部分に配置された２つの後基盤接触区域６２の間の距離は、基体１０の前部分に配置された２つの前基盤接触区域６２の間の距離と比較して大きい。したがって、４つの基盤接触区域６２は、固定部材６０と一緒に、基体１０の下側において台形に配置されている。架橋部分３０およびフレーム４０のそれぞれとの基体１０の交差において、同一面内の移行部Ｔ７は、前架橋部分３５、後架橋部分３６、および横架橋部分３７の各々と、基体１０との間に形成されている。
【００９８】
図１５では、貨物運搬具２は、基盤Ｇに圧し掛かっており、左からの側面図で示されている。基盤Ｇは点線によって指示されている。基盤Ｇに圧し掛かる間、最も下の基盤接触区域６２が基盤Ｇと点で接触する（それらのうちの２つが図１５に示されている）。固定部材６０（図１５においてそれらのうちの４つが示されている）に関して、固定部材６０は、最も下の基盤接触区域６２の上方に位置決めされているため、基盤Ｇと接触しない。
【００９９】
図１６および図１７において、後スポイラ５は分離された様態で示されている。後スポイラ５は、前述したようなスポイラ部分５０と同一であり得る。したがって、スポイラ部分５０に関連して記載したすべての特徴は後スポイラ５にも当てはまり得る。
【０１００】
後スポイラ５の外面５１が、スポイラハンドルを提供するための把持部分５２を備える。後スポイラは、後スポイラ５を貨物運搬具の蓋に追加するためのスポイラ取り付け部分５３をさらに備える（図１６および図１７には図示略）。後スポイラ５は、把持部分５２と実質的に同一面内にある窪み５４（図１７のみに示されている）をさらに備える。さらに、後スポイラは、後スポイラ５の前部分５６から後スポイラ５の後部分５７への先細り部５５を備える。このような先細りの設計は、スポイラ５の周りで起こる空気の乱流をより小さくする空気力学的な効果を有する。
【０１０１】
図１８および図１９では、実施形態による蓋２０は下方からと下方からの斜視とでそれぞれ示されている。蓋は、貨物運搬具のために概して使用でき、具体的には前述したような貨物運搬具のために使用され、好ましくは追加部分を伴う貨物運搬具のために使用され得る。蓋２０は、前部分２１および後部分と内面２４とを備える。前部分２１には、補強構造７０が内面２４に設けられている。
【０１０２】
図１８および図１９ですでに指示されているように、補強構造７０は、蓋２０の内面２４の幅全体に実質的にわたって延び、前部分２１における前記蓋２０の縁部分２２に向けて一部下向きに延び、好ましくは蓋の横部分においても延びる。したがって、この実施形態による補強部分７０は、蓋２０の上内壁を補強するだけでなく、上内壁から下向きに延びる側内壁も補強する。しかしながら、側壁の補強は任意選択であり、上内壁の補強は十分であり得る。
【０１０３】
図１８および図１９に示されていないが、補強構造７０は、蓋を基体に連結するためのヒンジが蓋２０に取り付けられ得る最も前の横部分の長手方向前方位置に少なくとも位置付けられる。しかしながら、補強構造７０の一部分は、蓋を基体に連結するためのヒンジが蓋２０に取り付けられ得る最も前の横部分の長手方向後位置に位置付けられてもよく、これはヒンジ取り付けの領域において追加的な安定性を追加する。
【０１０４】
補強構造７０は連続的な細長い補強区域７２、７３を備え、連続的な細長い補強区域７２、７３のうちの少なくとも２つは異なる主延在方向を含む。図に示されたすべての実施形態において、連続的な細長い補強区域７２、７３は、それらのうちの１つが別のものと交差するように配置されている。したがって、連続的な細長い補強区域７２、７３は、蓋の前部分２１に適用されるときに追加的な安定性を作り出す異なるパターンを形成することができる。さらに、図のうちの一部には指示されていないが、連続的な細長い補強区域７２、７３は、好ましくは実質的に蓋の幅全体にわたって延びる。
【０１０５】
図の実施形態によれば、連続的な細長い補強区域７２、７３は、搭載される蓋２０の前部分２１の寸法に応じて製造されるシート７１の表面または内部に形成される突出部として具現化される。突出部は、例えばシート７１にリブを形成することで、または結果として反対側に突出部をもたらす溝を一方の側に伴うシート７１を形成することで、といった、突出部を伴うシート７１を直接的および一体的に形成することで作り出すことができる。このようなシートはプラスチックを成型することで製造できる。
【０１０６】
図２０〜図２４では、連続的な細長い補強区域７２、７３によって形成される異なる可及的なパターンが示されている。
【０１０７】
図２０では網状の構造が示されており、その構造においては、細長い補強区域７２の第１のグループが真っ直ぐに互いに対して平行に形成され、細長い補強区域７３の第２のグループが真っ直ぐに互いに対して平行に形成されているが、細長い補強区域７２の第１のグループに対してある角度で延びている。実施形態では、細長い補強区域７２、７３は、１つ以上の菱形の領域が細長い補強区域のうちの４つの間に形成されるように配置されている。このような補強構造は、細長い補強区域７２、７３がシートにわたって切れ目のない連続的な様態で延び、シート７１が内壁に接合され得る接触表面を菱形の領域が提供するため、剛性を高める。
【０１０８】
図２１では、２つの細長い補強区域７２、７３の交差点が示されている。細長い補強区域７２、７３は、ここでもある角度で互いと交差し、両方ともそれぞれ特定の経路Ｐ１、Ｐ２に沿って延びる。実施形態では、細長い補強区域７２、７３は実質的に９０度の角度で交わっているが、異なる角度が実現され得ることは留意されるものである。図２１から推測され得るように、細長い補強区域７２、７３は、それらの一部分が実質的にずれることなく両側において続いていく様態で互いと交わっている。このような細長い補強区域７２、７３の進路は、それぞれの経路Ｐ２、Ｐ３において続いていくとき、規則正しい連続した補強区域として参照され得る。
【０１０９】
若干の変更が図２２では示されている。ここでは、補強区域７２は、指示されているように補強区域７２の幅の中にある経路Ｐ２において連続しているため、一部で連続的である。別の言い方をすれば、交差されている補強区域７３の両側における部分において、それらの部分がそれ以上重なれない程度までではないが、若干のずれがある。例えば、交差されている補強区域の両側における１つの細長い補強区域の一部分同士のずれが、それらの一部分の一方が、交差した細長い補強区域を貫く横外側部分の２つの仮想的な延在によって制限される領域に少なくとも一部で位置付けられないようになっている構成では、細長い補強区域のこのような構成は連続的ではないとして解釈され得る。したがって、図２２に示されているような構成は連続した補強区域７２を有するとなおも解釈されるが、両側におけるそれらの一部分同士の間のさらなるずれは、非連続的な構成をもたらすことになる。
【０１１０】
図２３は、細長い補強区域７２、７３がシート７１において互いに交差して配置されている配置を示している。より正確には、図２３による構成では、２つの細長い補強区域７２は、長手方向において実質的に平行に、蓋２０の中間軸から実質的に同じ距離で延びている。２つの長手方向の補強区域７２は、蓋の前端まで、蓋２０の内側壁表面に沿って一部で下向きに延びている。長手方向の補強区域７２の両方と交差する横方向の補強区域７３は、蓋２０の前端から所定の距離に設けられている。横方向の補強区域７３は連続的であり、実質的に蓋の幅全体にわたって連続的であって切れ目がない。横方向の補強区域７３は、中間部分が端部分と比較して蓋の前端のより近くにある湾曲した形を備える。長手方向の細長い補強区域７２の前端部分と、湾曲した横方向の細長い補強区域７３の中間区域の前方端部分と、によって制限された領域７５が、蓋持ち上げ装置の取り付けのために使用でき、したがって、シート７１および蓋壁の二重の層によって形成された支持部分７６を有する固定領域７５を形成することができる。横方向の細長い補強区域７３の後側には、細長い補強区域によって少なくとも一部で制限される同様の領域が、蓋２０の内壁２４にシート７１を接合するための固定部分７４として役割を果たし得るか、または蓋２０に接合可能であることに加えて、蓋２０の横方向で最も前のヒンジの取り付けのために構成される支持部分７８を定める固定領域として役割を果たし得る固定領域７７として役割を果たし得る。湾曲した横方向の細長い補強区域７３の代替または追加で、真っ直ぐな横方向の細長い補強区域が設けられてもよい。
【０１１１】
図２４は、湾曲した横方向の細長い補強区域の代わりに、複数の真っ直ぐな横方向の補強区域７３が提供されている構成を示している。ここでも、先に記載されているような適切な領域７４、７５が、細長い長手方向の補強区域７２と横方向の補強区域７３との間に作り出されている。
【０１１２】
図２５では、蓋２０は下方から示されている。蓋２０では、補強構造７０は蓋２０の内面２４に設けられている。さらなる補強構造７０は、少なくとも一部において、図１８〜図２４に関連して記載された補強構造７０として構成され得る。さらなる補強構造７０は、実質的に蓋２０の内面２４の幅全体にわたって延びている。補強構造７０は、一部において、前部分２１における蓋２０の縁部分２２に向けて下向きに延びており、好ましくは蓋２０の中間部分２５に向けて後向きにも延びている。
【０１１３】
蓋２０は、例えば蓋を基体に連結するための中間ヒンジが提供され得る領域において、蓋２０の中間部分２５に取り付け可能な追加の補強構造８３を備えることができる。補強構造７０と追加の補強構造８３とは別々の部品である。追加の補強構造８３は、蓋２０の内面２４の幅全体にわたって横方向に延びており、追加の補強構造８３は蓋２０の縁部分２２を相互に接続し、蓋２０の全体の安定性を高めることができる。追加の補強構造８３は、記載された補強構造７０のうちの１つの記載された横方向の補強区域７３のうちの１つとして少なくとも一部で構成され得る。
【０１１４】
図２６および図２７では、補強構造７０は下方から示されている。また、補強構造７０は、図２３に示されたパターンと同様の追加の安定性を作り出す別のパターンを形成する連続的な細長い補強区域７２、７３を備え、細長い補強区域７２、７３は、補強構造７０の後部に向けて互いと同一面内に配置されている。補強構造７０は、細長い補強区域７２の第１のグループが真っ直ぐに互いに対して平行に形成され、細長い補強区域７３の第２のグループが湾曲した様態で必ずしも互いに対して平行ではなく形成されているが、細長い補強区域７２の第１のグループに対してある角度で延びている網状構造を備える。上記のことの他に、図２６に関して、補強構造７０の連続的な細長い補強区域７２、７３は、図１８〜図２４に関して記載された連続的な細長い補強区域７２、７３として少なくとも一部で構成され得る。したがって、連続的な細長い補強区域７２、７３は、そこで記載されたシート７１の表面または内部に形成される突出部として具現化され得る。
【０１１５】
図２６および図２７は、細長い補強区域７２、７３がシート７１において互いに交差して配置されている配置を示している。図２６および図２７による構成では、２つの細長い補強区域７２は、長手方向において実質的に平行に、蓋２０の中間軸から実質的に同じ距離で延びている。２つの長手方向の補強区域７２の両方が、蓋の前端まで延び、一部では、蓋２０の内側壁表面に沿って下向きに横方向の補強区域７３まで延び、そこでは２つの長手方向の補強区域７２は横方向の補強区域７３と同一面内で途切れ得る。横方向の補強区域７３は長手方向において湾曲されなくてもよい。しかしながら、横方向の補強区域７３は長手方向および／または交差方向において先細りとされてもよい。長手方向の補強区域７２の両方と交差するさらなる横方向の補強区域７３は、蓋２０の前端から所定の距離に設けられ得る。さらなる横方向の補強区域７３が、蓋２０の前端と、２つの細長い補強区域７２と同一面内となり得る横方向の補強区域７３との間に設けられてもよい。横方向の補強区域７３は、中間部分が端部分と比較して蓋２０の前端のより近くにある湾曲した形を備える。配置のうちの横方向の補強区域７３のうちの少なくとも１つは連続的であり、実質的に蓋の幅全体にわたって連続的であって切れ目がない。図２３および図２４に関連して記載された領域７５（図２６および図２７には図示略）は、この配置に従っても設けられ得る。同じことは、シート７１を蓋２０の内壁２４に接合するための固定部分７４として役割を果たす、または支持部分７８を定める固定領域７７として役割を果たす図２３および図２４に関して記載された領域に当てはまる。
【０１１６】
図２５〜図２７に示されているように、細長い補強区域７２、７３は、その前端および／またはその横側において少なくとも一部で蓋２０の縁部分２２の形に幾何学的に追従し得る湾曲した端部分８５をさらに備え得る。さらに、細長い補強区域７２、７３の少なくとも一方は、図２７に示された、蓋２０の内面２４の形に追従する少なくとも１つの膨らんだ部分８７をさらに備え得る。膨らんだ部分８７は、追加的な膨らんだ体積を細長い補強区域７２、７３の少なくとも一方の一定の厚さに加えることで、細長い補強区域７２、７３の少なくとも一方の厚さを一部で拡大することができる。
【０１１７】
後の実施形態のすべてに共通するのは、補強構造７０を備える蓋２０の製造過程である。第一に、貨物運搬具のための蓋が提供され、細長い補強区域７２、７３を備える補強構造７０が提供される。そのために、細長い補強区域７２、７３は別々のシート７１に形成されている。ここでの実施形態では、シート７１と細長い補強区域７２、７３とは、具体的にはシートに突出部を形成することによって、樹脂成型から一体的に成型される。
【０１１８】
そのため、一体に形成された補強区域72、73を伴うシート71を備える、このように作り出された補強構造70は、次に蓋20の前部分において蓋20の内壁に取り付けられ、好ましくは接着によって接合される。補強構造が別体の部材として作り出され、蓋に適用されるという事実のため、既存の蓋がこのような補強構造を取り付けることで改造され得ることは、留意されるものである。
【０１１９】
以下において、貨物運搬具の可及的な第１の構成と、具体的には第１の構成による貨物運搬具、および／またはまとめの部分および詳細な記載において前述したような貨物運搬具といった、貨物運搬具と使用できる蓋の第２の構成と、は、請求項の主題に加えて、箇条書きとされた構造で表されている。基本的に、各々の構成の各々の単一の特徴は、本発明による貨物運搬具に関して記載された各々の単一の特徴と組み合わせることができ、逆もまた然りである。
【０１２０】
各々の箇条書きとされた構造は、箇条１と、先行する箇条の各々を各々が参照し得るさらなる箇条と、を備える。以下の明確な特徴の組み合わせは、本開示をこのような明確な特徴の組み合わせに限定するように意図されていないことは、留意されるものである。対照的に、以下の特徴の組み合わせは、向上した能力を有する貨物運搬具と蓋との異なる例を提供しているだけである。それらの能力は、互いの間で適切に組み合わせることができ、つまり、少なくとも１つの箇条からの少なくとも１つの特徴が、すべての他の箇条の少なくとも１つの特徴と組み合わせられ得る。
【０１２１】
第１の構成
１．  具体的には屋根上の貨物運搬具である貨物運搬具（２）であって、
輸送される品物を積むための内部空間（１１）を伴う槽形状を有する基体（１０）と、
前記基体（１０）にヒンジで連結される開閉可能な蓋（２０）と、
貨物運搬具（２）を車両に、好ましくは貨物運搬具（２）を前記車両におけるクロスバーに取り付けるための、クロスバー取り付け締め具または爪に固定するための固定部材（６０）と、
貨物運搬具（２）の外部体積全体を拡大するために、前記基体（１０）および前記蓋（２０）の少なくとも一方に取り付けられる追加部分（４）と、
を備え、
前記基体（１０）および／または前記追加部分（４）は、貨物運搬具（２）を実質的に水平の基盤において支持するための、および前記固定部材（６０）を保護するための少なくとも２つの基盤接触区域（６２）を備える、貨物運搬具（２）。
【０１２２】
２．  具体的には屋根上の貨物運搬具である貨物運搬具（２）であって、
輸送される品物を積むための内部空間（１１）を伴う槽形状を有する基体（１０）と、
前記基体（１０）にヒンジで連結される開閉可能な蓋（２０）と、
貨物運搬具（２）を車両に、好ましくは貨物運搬具（２）を前記車両におけるクロスバーに取り付けるための、クロスバー取り付け締め具または爪に固定するための固定部材（６０）と、
を備え、
前記基体（１０）は、貨物運搬具（２）を実質的に水平の基盤において支持するための、および、前記固定部材（６０）を保護するための少なくとも２つの基盤接触区域（６２）を備える、貨物運搬具（２）。
【０１２３】
３．  車両の屋根に位置決めされるたき、前記固定部材（６０）は、前記少なくとも２つの基盤接触区域（６２）によって空気力学的に隠蔽される、箇条１または２に記載の貨物運搬具（２）。
【０１２４】
４．  前記固定部材（６０）は、前記基体（１０）、前記蓋（２０）、および／または前記追加部分（４）を包み込む凸状外被（７）の中に配置される、箇条１から３のいずれか１つに記載の貨物運搬具（２）。
【０１２５】
５．  貨物運搬具（２）の下側が凹状に湾曲した形を有し、前記基体（１０）および／または前記追加部分（４）は湾曲した形を好ましくは有する、箇条１から４のいずれか１つに記載の貨物運搬具（２）。
【０１２６】
６．  前記少なくとも２つの基盤接触区域（６２）は前記固定部材（６０）と並べられる、箇条１から５のいずれか１つに記載の貨物運搬具（２）。
【０１２７】
７．  ２つの左基盤接触区域（６２）および２つの右基盤接触区域（６２）を備える４つの基盤接触区域（６２）と、
２つの左固定部材（６０）および２つの右固定部材（６０）を備える４つの固定部材（６０）と、
を備え、
前記２つの左基盤接触区域（６２）は前記２つの左固定部材（６０）と実質的に並べて配置され、
前記２つの右基盤接触区域（６２）は前記２つの右固定部材（６０）と実質的に並べて配置される、箇条１から６のいずれか１つに記載の貨物運搬具（２）。
【０１２８】
８．  前記固定部材（６０）は、前記基盤と接触しているとき、撓むために移動可能である、箇条１から７のいずれか１つに記載の貨物運搬具（２）。
【０１２９】
９．  少なくとも３つの基盤接触区域（６２）を備え、
前記少なくとも３つの基盤接触区域（６２）のうちの少なくとも３つの基盤接触区域（６２）が、好ましくは実質的に点状の接触区域である、箇条１から８のいずれか１つに記載の貨物運搬具（２）。
【０１３０】
１０．  前記少なくとも２つの基盤接触区域（６２）のうちの少なくとも１つの基盤接触区域（６２）は、実質的に線状の接触区域である、箇条１から９のいずれか１つに記載の貨物運搬具（２）。
【０１３１】
１１．  前記内部空間（１１）は、前記基体（１０）の周縁部分（１２）によって定められる上開口を通じてアクセス可能であり、
開閉可能な前記蓋（２０）は、閉状態において、前記蓋（２０）の縁部分（２２）が前記周縁部分（１２）に接する状態で位置決めされるように適合され、
前記追加部分（４）は、前記基体（１０）または前記蓋（２０）に取り付けられ、前記蓋（２０）が前記閉状態にあるとき、前記蓋（２０）の前記縁部分（２２）、好ましくは前記蓋（２０）の前記縁部分（２２）の外面（２３）と、前記基体（１０）の前記周縁部分（１２）と、の間に移行部を提供するように形成される架橋部分（３０）を備え、
前記少なくとも２つの基盤接触区域（６２）のうちの基盤接触区域（６２）は前記架橋部分（３０）に配置され、好ましくは２つの基盤接触区域（６２）は前架橋部分（３５）に配置され、２つの基盤接触区域（６２）は後架橋部分（３６）に配置される、箇条１から１０のいずれか１つに記載の貨物運搬具（２）。
【０１３２】
１２．  前記少なくとも２つの基盤接触区域（６２）のうちの基盤接触区域（６２）は前記基体（１０）に配置され、
前記基体（１０）の後部分に配置された２つの後基盤接触区域（６２）の間の距離が、前記基体（１０）の前部分に配置された２つの前基盤接触区域（６２）の間の距離と比較して大きい、箇条１から１１のいずれか１つに記載の貨物運搬具（２）。
【０１３３】
第２の構成
１．  具体的には屋根上の貨物運搬具（２）である貨物運搬具（２）のための蓋（２０）であって、前記蓋（２０）の柔軟性を低下させるための補強された前部分（２１）を、少なくとも前記補強された前部分（２１）において備え、前記補強された前部分（２１）は補強構造（７０）を備え、前記補強構造（７０）は少なくとも２つの連続的な細長い補強区域（７２、７３）を備え、前記少なくとも２つの連続した細長い補強区域（７２、７３）の各々は、蓋（２０）の内面（２４）に沿って延びるか、または蓋（２０）の内面（２４）において定められ、異なる主延在方向を備え、前記少なくとも２つの連続した細長い補強区域（７２、７３）は互いと交差し、および／または好ましくは前記少なくとも２つの連続した細長い補強区域（７２、７３）の各々は、微分可能関数によって定められる経路（Ｐ１、Ｐ２）に沿って延びる、蓋（２０）。
【０１３４】
２．  前記少なくとも２つの連続的な細長い補強区域（７２、７３）の第１の補強区域（７２）が、第１の方向において延び、好ましくは前記蓋（２０）の長手方向において延び、前記少なくとも２つの連続的な細長い補強区域（７２、７３）の第２の補強区域（７３）が、前記第１の補強区域（７２）に交差して延び、好ましくは前記長手方向に対して横に延びる、箇条１に記載の蓋（２０）。
【０１３５】
３．  前記細長い補強区域（７２、７３）のうちの少なくとも１つは湾曲させられ、好ましくは第２の補強区域（７３）のうちの少なくとも１つは、好ましくはその中間部分が前記蓋（２０）の前方端に向けて膨らまされるように湾曲させられる、例えば箇条２といった、箇条１または２に記載の蓋（２０）。
【０１３６】
４．  前記細長い補強区域（７２、７３）のうちの少なくとも１つは真っ直ぐであり、好ましくは前記第１の補強区域（７２）のうちの少なくとも１つは真っ直ぐである、例えば箇条２または箇条３といった、箇条１から３のいずれか１つに記載の蓋（２０）。
【０１３７】
５．  前記補強区域（７２、７３）は、フレームのようなパターンまたは網状様態で配置され、代替または追加で、一体の部材を形成するように互いと一体に形成される、箇条１から４のいずれか１つに記載の蓋（２０）。
【０１３８】
６．  前記補強区域（７２、７３）は、リブ、突出部、通路、溝、または管として形成される、箇条１から５のいずれか１つに記載の蓋（２０）。
【０１３９】
７．  前記補強構造（７０）は支持シート（７１）を備え、前記支持シート（７１）は前記蓋（２０）の内面（２４）において固定可能な別体の部材である、箇条１から６のいずれか１つに記載の蓋（２０）。
【０１４０】
８．  前記連続的な細長い補強区域（７２、７３）は、前記支持シート（７１）の表面または内部に形成され、好ましくは前記支持シート（７１）を変形させることで、または前記支持シート（７１）を前記連続的な細長い補強区域と一体に成型することで形成される、例えば箇条７といった、箇条１から７のいずれか１つに記載の蓋（２０）。
【０１４１】
９．  前記支持シート（７１）は、単一の切れ目のないシートであり、好ましくは蓋の角部分を除く前部分において蓋の内面全体を覆う形を備える、例えば箇条７または箇条８といった、箇条１から８のいずれか１つに記載の蓋（２０）。
【０１４２】
１０．  補強区域（７２、７３）の間のシート（７１）の少なくとも一部の領域（７４）が、前記蓋（２０）の前記前部分（２１）の前記内面（２４）と表面接触するように構成される固定部分（７４）として形成され、前記固定部分（７４）は、リベットなどの取り付け手段を用いて前記蓋（２０）に好ましくは固定されるか、または好ましくは接着によって前記蓋（２０）に好ましくは接合される、例えば箇条７から箇条９のいずれか１つといった、箇条１から９のいずれか１つに記載の蓋（２０）。
【０１４３】
１１．  補強区域（７２、７３）の間のシート（７１）の領域は、蓋持ち上げ装置の取り付けのために構成される支持部分（７６）を伴う固定領域（７５）として形成される、例えば箇条７から箇条１０のいずれか１つといった、箇条１から１０のいずれか１つに記載の蓋（２０）。
【０１４４】
１２．  蓋（２０）の横側におけるシート（７１）の領域は、前記蓋（２０）の横の最も前のヒンジの取り付けのために構成される支持部分（７８）を伴う固定領域（７７）として形成される、例えば箇条７から箇条１１のいずれか１つといった、箇条１から１１のいずれか１つに記載の蓋（２０）。
【０１４５】
１３．  前記シート（７１）は、シートが蓋（２０）の前部分（２１）の内側上壁部分を覆うだけでなく、内上壁から続く蓋（２０）の内側壁に沿って少なくとも一部で下向きに延びるような様態で、シートを蓋に取り付けることができる寸法および形を備える、例えば箇条７から箇条１２のいずれか１つといった、箇条１から１２のいずれか１つに記載の蓋（２０）。
【０１４６】
１４．  輸送される品物を支持するための基体（１０）と、箇条１から１３のいずれか１つに記載の蓋（２０）と、を備え、前記蓋（２０）は前記基体（１０）にヒンジで連結される、貨物運搬具（２）。
【０１４７】
１５．  少なくとも２つの連続的な細長い補強区域（７２、７３）を備える補強構造（７０）を、好ましくは成型によって提供するステップと、補強された前部分（２１）を作り出すように前記補強構造（７０）を前記蓋（２０）の前部分に取り付けるステップと、を含む、箇条１から１４のいずれか１つに記載の蓋（２０）を製造するための方法。
【符号の説明】
【０１４８】
２  貨物運搬具
４  追加部分
５  後スポイラ
６  基体および蓋の凸状外被
７  基体、蓋、および追加部分の凸状外被
９  下縁部分
１０  基体
１１  内部空間
１２  周縁部分
１３  周縁部分の外面
１４  側壁の外面
１５  基体の下方外面
１６  基体の側壁
１７  側壁の壁部分
１８  側壁の縁部分
１８ａ  反対部分
１９  隙間
２０  蓋
２１  前部分
２２  蓋の縁部分
２３  蓋の外面
２４  蓋の内面
２５  蓋の中間部分
３０  架橋部分
３１  架橋部分の外面
３２  架橋部分の上縁部分
３３  第１の支持区域
３４  第２の支持区域
３５  前架橋部分
３６  後架橋部分
３７  横架橋部分
３７ａ  横架橋部分の上方部分
３７ｂ  横架橋部分の下方部分
３８  中間区域
４０  フレーム
４２  ハンドル
４４  係止部
４５  係止凹部
４６  係止およびヒンジの機構
５０  スポイラ部分
５１  スポイラ部分の外面
５２  把持部分
５３  取り付け部分
５４  窪み
５５  先細り
６０  固定部材
６２  基盤接触区域
７０  補強構造
７１  支持シート
７２  連続的な細長い補強区域
７３  連続的な細長い補強区域
７４  固定部分
７５  固定領域
７６  支持部分
７７  固定領域
７８  支持部分
８３  追加の補強構造
８５  湾曲した端部分
８７  膨らんだ部分
Ｇ  基盤
Ｓ１  長手方向の輪郭
Ｓ２  断面の輪郭
Ｔ１  第１の同一面内の移行部
Ｔ２  第２の同一面内の移行部
Ｔ３  第３の同一面内の移行部
Ｔ４  同一面内の通路
Ｔ５  同一面内の通路
Ｔ６  第６の同一面内の移行部
Ｔ７  第７の同一面内の移行部
Ｔ８  同一面内の縁移行部
【図１】
2021514901.tif 000003
【図２】
2021514901.tif 000004
【図３】
2021514901.tif 000005
【図４】
2021514901.tif 000006
【図５】
2021514901.tif 000007
【図６】
2021514901.tif 000008
【図７】
2021514901.tif 000009
【図８】
2021514901.tif 000010
【図９】
2021514901.tif 000011
【図１０】
2021514901.tif 000012
【図１１】
2021514901.tif 000013
【図１２】
2021514901.tif 000014
【図１３】
2021514901.tif 000015
【図１４】
2021514901.tif 000016
【図１５】
2021514901.tif 000017
【図１６】
2021514901.tif 000018
【図１７】
2021514901.tif 000019
【図１８】
2021514901.tif 000020
【図１９】
2021514901.tif 000021
【図２０】
2021514901.tif 000022
【図２１】
2021514901.tif 000023
【図２２】
2021514901.tif 000024
【図２３】
2021514901.tif 000025
【図２４】
2021514901.tif 000026
【図２５】
2021514901.tif 000027
【図２６】
2021514901.tif 000028
【図２７】
2021514901.tif 000029
【手続補正書】
【提出日】令和2年11月16日(2020.11.16)
【手続補正１】
【補正対象書類名】特許請求の範囲
【補正対象項目名】全文
【補正方法】変更
【補正の内容】
【特許請求の範囲】
【請求項１】
輸送される品物を積むための内部空間（１１）を伴う槽形状を有する基体（１０）と、
前記基体（１０）にヒンジで連結される開閉可能な蓋（２０）と、
前記基体（１０）と前記蓋（２０）との両方を包み込む凸状外被（６）の外側で少なくとも部分的に延びる追加部分（４）と、
を備え、
前記追加部分（４）は、貨物運搬具（２）の外部体積全体を拡大するために、前記基体（１０）および前記蓋（２０）の少なくとも一方に取り付けられ、
前記追加部分（４）は、前記基体（１０）および前記蓋（２０）の少なくとも一方の外面に追加されることを特徴とする屋根上面用貨物運搬具（２）。
【請求項２】
前記内部空間（１１）は、前記基体（１０）の周縁部分（１２）によって定められる上開口を通じてアクセス可能であり、
開閉可能な前記蓋（２０）は、閉状態において、前記蓋（２０）の縁部分（２２）が前記周縁部分（１２）に接する状態で位置決めされるように適合され、
前記追加部分（４）は、前記基体（１０）または前記蓋（２０）に取り付けられ、および前記蓋（２０）が前記閉状態にあるとき、前記蓋（２０）の前記縁部分（２２）、好ましくは前記蓋（２０）の前記縁部分（２２）の外面（２３）と、前記基体（１０）の前記周縁部分（１２）と、の間に移行部を設けるように形成される架橋部分（３０）を備える、請求項１に記載の屋根上面用貨物運搬具（２）。
【請求項３】
輸送される品物を積むための内部空間（１１）を伴う槽形状を有する基体（１０）と、
前記基体（１０）にヒンジで連結される開閉可能な蓋（２０）と、
貨物運搬具（２）の外部体積全体を拡大するために、前記基体（１０）および前記蓋（２０）の少なくとも一方に取り付けられる追加部分（４）と、
を備え、
前記内部空間（１１）は、前記基体（１０）の周縁部分（１２）によって定められる上開口を通じてアクセス可能であり、
開閉可能な前記蓋（２０）は、閉状態において、前記蓋（２０）の縁部分（２２）が前記周縁部分（１２）に接する状態で位置決めされるように適合され、
前記追加部分（４）は、前記基体（１０）または前記蓋（２０）に取り付けられ、および前記蓋（２０）が前記閉状態にあるとき、前記蓋（２０）の前記縁部分（２２）、好ましくは前記蓋（２０）の前記縁部分（２２）の外面（２３）と、前記基体（１０）の前記周縁部分（１２）と、の間に移行部を設けるように形成される架橋部分（３０）を備えることを特徴とする屋根上面用貨物運搬具（２）。
【請求項４】
前記追加部分（４）は、前記基体（１０）と前記蓋（２０）との両方を包み込む凸状外被（６）の外側で少なくとも部分的に延びる、請求項３に記載の屋根上面用貨物運搬具（２）。
【請求項５】
前記屋根上面用貨物運搬具（２）を車両に固定するための固定部材（６０）をさらに備える、請求項１から４のいずれか一項に記載の屋根上面用貨物運搬具（２）。
【請求項６】
前記架橋部分（３０）は、前記蓋（２０）が前記閉状態にあるとき、前記架橋部分（３０）の外面（３１）と前記蓋（２０）の外面（２３）との間、および／または前記架橋部分（３０）の外面（３１）と、前記基体（１０）の外面（１４）、好ましくは前記基体（１０）の下方外面（１５）と、の間に、実質的に同一面内の移行部を提供する、請求項２から５のいずれか一項に記載の屋根上面用貨物運搬具（２）。
【請求項７】
前記周縁部分（１２）はＵ字形を備え、前記周縁部分（１２）において、前記基体（１０）の側壁（１６）の壁部分（１７）は外側に湾曲されて自身へと重なっており、これにより前記側壁（１６）の縁部分（１８）が下向きに突出し、隙間（１９）が下向きに突出した前記縁部分（１８）と前記基体（１０）の前記側壁（１６）の一部分との間に形成される、請求項２から６のいずれか一項に記載の屋根上面用貨物運搬具（２）。
【請求項８】
前記架橋部分（３０）の上縁部分（３２）は前記隙間（１９）に収容され、好ましくは前記隙間（１９）を定める壁部分に当てて支持される、請求項７に記載の屋根上面用貨物運搬具（２）。
【請求項９】
前記架橋部分（３０）の前記上縁部分（３２）は、好ましくは第１の支持区域（３３）が前記側壁（１６）の前記縁部分（１８）の下端部分に接し、かつ第２の支持区域（３４）が前記基体（１０）の前記側壁（１６）の反対の上部分に接する状態で、前記隙間（１９）を定める前記壁部分に対向して当てて支持される２つの支持区域を備える、請求項８に記載の屋根上面用貨物運搬具（２）。
【請求項１０】
前記架橋部分（３０）の前記上縁部分（３２）は、ジグザグの形を好ましくは備える２つの曲線とされる、請求項８または９に記載の屋根上面用貨物運搬具（２）。
【請求項１１】
前記架橋部分（３０）の前記上縁部分（３２）は、好ましくは接着によって前記隙間（１９）を定める前記壁部分に接合される、請求項８から１０のいずれか一項に記載の屋根上面用貨物運搬具（２）。
【請求項１２】
前記架橋部分（３０）は前記基体（１０）を包囲するフレーム（４０）を備え、前記フレーム（４０）は、ハンドル（４２）および／もしくは係止部（４４）のための少なくとも１つの孔を好ましくは備える、ならびに／または
前記フレーム（４０）は、内側基体シェルを形成する前記基体（１０）と、前記貨物運搬具（２）の外側基体シェルを形成する前記フレーム（４０）と、を備える二重シェル構造を作り出すために、好ましくは前記基体（１０）の周りに延びる、請求項２から１１のいずれか一項に記載の屋根上面用貨物運搬具（２）。
【請求項１３】
前記追加部分（４）は、前記蓋（２０）に、好ましくは前記蓋（２０）の後部分に、または前記基体（１０）に、好ましくは前記基体（１０）の前部分に、取り付けられるスポイラ部分（５０）を備える、請求項１から１２のいずれか一項に記載の屋根上面用貨物運搬具（２）。
【請求項１４】
前記スポイラ部分（５０）は、前記スポイラ部分（５０）の外面と前記架橋部分（３０）の外面（３１）との間に実質的に同一面内である移行部を提供する、請求項２から１２のいずれか一項に従属した請求項１３に記載の屋根上面用貨物運搬具（２）。
【請求項１５】
前記スポイラ部分（５０）は、前記貨物運搬具（２）を取り扱うために、好ましくは前記スポイラ部分（５０）の後縁部分を越えて突出しない把持部分（５２）を備える、請求項１３または１４に記載の屋根上面用貨物運搬具（２）。
【請求項１６】
前記固定部材（６０）は、前記基体（１０）、前記蓋（２０）、および前記追加部分（４）を包み込む凸状外被（７）の中に配置され、
前記基体（１０）および／または前記追加部分（４）は、前記貨物運搬具（２）を実質的に水平の基盤上に支持するための少なくとも２つの基盤接触区域（６２）を好ましくは備える、請求項５から１５のいずれか一項に記載の屋根上面用貨物運搬具（２）。
【請求項１７】
屋根上面用貨物運搬具（２）を製造するための方法であって、
輸送される品物を積むための内部空間（１１）を伴う槽形状を有する基体（１０）を形成するステップ、好ましくは成型するステップと、
前記基体（１０）を覆うための形を有する蓋（２０）を形成するステップ、好ましくは成型するステップと、
前記蓋（２０）が開閉可能となるように、前記蓋（２０）を前記基体（１０）とヒンジで連結するステップと、
を含み、
追加部分（４）を前記基体（１０）および前記蓋（２０）の少なくとも一方に取り付け、それによって前記貨物運搬具（２）の外部体積全体を拡大するステップであって、
前記追加部分（４）は、前記基体（１０）および前記蓋（２０）の少なくとも一方の外面に追加され、
前記追加部分（４）は、前記基体（１０）と前記蓋（２０）との両方を包囲する凸状外被（６）の外側で少なくとも部分的に延びる、ステップにおいて特徴付けられる、方法。
【請求項１８】
屋根上面用貨物運搬具（２）を製造するための方法であって、
輸送される品物を積むための内部空間（１１）を伴う槽形状を有する基体（１０）を形成する、好ましくは成型するステップであって、
前記内部空間（１１）は、前記基体（１０）の周縁部分（１２）によって定められる上開口を通じてアクセス可能である、ステップと、
前記基体（１０）を覆うための形を有する蓋（２０）を形成する、好ましくは成型するステップと、
前記蓋（２０）が開閉可能となるように、前記蓋（２０）を前記基体（１０）とヒンジで連結するステップであって、
開閉可能な前記蓋（２０）は、閉状態において、前記蓋（２０）の縁部分（２２）が前記周縁部分（１２）に接する状態で位置決めされるように適合される、ステップと、
を含み、
追加部分（４）を、前記基体（１０）および前記蓋（２０）の少なくとも一方に取り付け、それによって前記貨物運搬具（２）の外部体積全体を拡大するステップであって、前記追加部分（４）は、架橋部分（３０）を備え、および前記蓋（２０）が前記閉状態にあるとき、前記蓋（２０）の前記縁部分（２２）、好ましくは前記蓋（２０）の前記縁部分（２２）の外面（２３）と、前記基体（１０）の前記周縁部分（１２）と、の間に移行部を設けるように形成される、ステップ、を含む方法。
【国際調査報告】
2021514901.tif 000030
2021514901.tif 000031